(57)【要約】【課題】アップリンク伝送における制御シグナリングを削減するための方法およびシステムを提供する。【解決手段】復調参照シンボル（ＤＭ−ＲＳ）伝送スケジュールは、ＤＭ−ＲＳ伝送がデータストリームのサブフレームごとの単一の直交周波数分割多重（ＯＦＤＭ）シンボルにマップされることによって特徴付けられる。ＤＭ−ＲＳ伝送スケジュールは、ＤＭ−ＲＳ伝送がデータストリームのサブフレームのＯＦＤＭシンボルのサブキャリアの第１のサブセットにマップされ、物理アップリンク共有チャネル（ＰＵＳＣＨ）伝送または物理アップリンク制御チャネル（ＰＵＣＣＨ）制御情報がＯＦＤＭシンボルのサブキャリアの第２のセットにマップされることによって特徴付けられる。サブキャリアの第１のセットは、サブキャリアの第２のセットとは異なる。データストリームは、ＤＭ−ＲＳ伝送スケジュールに従って送信される。【選択図】図３Ａ
2018042258.tif 000002
【特許請求の範囲】
【請求項１】
無線送受信ユニット（ＷＴＲＵ）により実施される方法であって、
前記ＷＴＲＵが、タイムスロット内の復調参照信号（ＤＭ−ＲＳ）の送信に関連付けられた構成を受信するステップであって、前記タイムスロットは、複数の直交周波数分割多重（ＯＦＤＭ）シンボルを含み、前記構成は、前記複数のＯＦＤＭシンボルの１つまたは複数が前記ＤＭ−ＲＳの送信に使用されるべきであるかどうかを示し、前記構成は、前記複数のＯＦＤＭシンボルのいずれか１つまたは複数が前記ＤＭ−ＲＳの送信に使用されるべきであることをさらに示す、ステップと、
前記ＷＴＲＵが、前記構成に従って前記ＤＭ−ＲＳを送信するステップであって、前記タイムスロット内の前記複数のＯＦＤＭシンボルのうちの１つが前記ＤＭ−ＲＳを送信するように構成されるという決定に基づいて、前記複数のＯＦＤＭシンボルのうちの前記１つの少なくとも一部を使用して前記ＤＭ−ＲＳが送信され、および、前記タイムスロット内の前記複数のＯＦＤＭシンボルのうちの複数が前記ＤＭ−ＲＳを送信するように構成されるという決定に基づいて、前記複数の構成されたＯＦＤＭシンボルのうちのそれぞれの少なくとも一部を使用して前記ＤＭ−ＲＳが送信される、ステップと
を含む、方法。
【請求項２】
前記構成は、前記タイムスロット内の前記複数のＯＦＤＭシンボルのうちのいずれか１つまたは複数が、物理アップリンク共有チャネル（ＰＵＳＣＨ）送信または物理アップリンク制御チャネル（ＰＵＣＣＨ）制御情報を送信するために使用されるべきかをさらに示し、前記方法は、前記ＷＴＲＵが前記構成に従って、前記ＰＵＳＣＨ送信または前記ＰＵＣＣＨ制御情報を送信するステップをさらに含む、請求項１に記載の方法。
【請求項３】
前記構成は、前記複数のＯＦＤＭシンボルのうちの１つのみが前記ＤＭ−ＲＳの送信に使用されるべきであることを示し、前記構成は、前記複数のＯＦＤＭシンボルのうちの前記１つが前記タイムスロット内の前記複数のＯＦＤＭシンボルの最初のＯＦＤＭシンボルまたは最後のＯＦＤＭシンボルであることをさらに示す、請求項１に記載の方法。
【請求項４】
前記構成は、前記タイムスロット内の前記複数のＯＦＤＭシンボルのうちの複数が前記ＤＭ−ＲＳを送信するために使用されるべきであることを示し、前記構成は、前記ＤＭ−ＲＳの送信のための前記複数のＯＦＤＭシンボルのうちの２つまたは複数の非連続的なＯＦＤＭシンボルをさらに指定する、請求項１に記載の方法。
【請求項５】
前記構成は、前記ＤＭ−ＲＳを送信するために使用される前記複数のＯＦＤＭシンボルのうちの前記１つまたは複数上で、サブキャリアの第１のサブセットが前記ＤＭ−ＲＳを送信するために使用されるべきであること、およびサブキャリアの第２のサブセットが物理アップリンク共有チャネル（ＰＵＳＣＨ）送信または物理アップリンクコントロールチャネル（ＰＵＣＣＨ）制御情報を送信するために使用されるべきであること、をさらに示す、請求項１に記載の方法。
【請求項６】
サブキャリアの前記第１のサブセットが偶数のサブキャリアのみを含み、サブキャリアの前記第２のサブセットが奇数のサブキャリアのみを含むか、または、サブキャリアの前記第１のサブセットが奇数のサブキャリアのみを含み、サブキャリアの前記第２のサブセットが偶数のサブキャリアのみを含む、請求項５に記載の方法。
【請求項７】
前記ＤＭ−ＲＳ送信は、周波数分割多重化方式（scheme）を使用して前記ＰＵＳＣＨ送信またはＰＵＣＣＨ送信がインターレースされる、請求項５に記載の方法。
【請求項８】
無線送受信ユニット（ＷＴＲＵ）であって、
タイムスロット内の復調参照信号（ＤＭ−ＲＳ）の送信に関連付けられた構成を受信し、前記タイムスロットは、複数の直交周波数分割多重（ＯＦＤＭ）シンボルを含み、前記構成は、前記複数のＯＦＤＭシンボルの１つまたは複数が前記ＤＭ−ＲＳの送信に使用されるべきであるかどうかを示し、前記構成は、前記複数のＯＦＤＭシンボルのいずれか１つまたは複数が前記ＤＭ−ＲＳの送信に使用されるべきであることをさらに示し、
前記構成に従って前記ＤＭ−ＲＳを送信し、前記タイムスロット内の前記複数のＯＦＤＭシンボルのうちの１つが前記ＤＭ−ＲＳを送信するように構成されるという決定に基づいて前記複数のＯＦＤＭシンボルのうちの前記１つの少なくとも一部を使用して前記ＤＭ−ＲＳが送信され、および、前記タイムスロット内の前記複数のＯＦＤＭシンボルのうちの複数が前記ＤＭ−ＲＳを送信するように構成されるという決定に基づいて、前記複数の構成されたＯＦＤＭシンボルのうちのそれぞれの少なくとも一部を使用して前記ＤＭ−ＲＳが送信される、
ように構成されたプロセッサを備えた、ＷＴＲＵ。
【請求項９】
前記構成は、前記タイムスロット内の前記複数のＯＦＤＭシンボルのうちのいずれか１つまたは複数が、物理アップリンク共有チャネル（ＰＵＳＣＨ）送信または物理アップリンク制御チャネル（ＰＵＣＣＨ）制御情報を送信するために使用されるべきかをさらに示し、前記プロセッサは、前記構成に従って、前記ＰＵＳＣＨ送信または前記ＰＵＣＣＨ制御情報を送信するようにさらに構成された、請求項８に記載のＷＴＲＵ。
【請求項１０】
前記構成は、前記複数のＯＦＤＭシンボルのうちの１つのみが前記ＤＭ−ＲＳの送信に使用されるべきであることを示し、前記構成は、前記複数のＯＦＤＭシンボルのうちの前記１つが前記タイムスロット内の前記複数のＯＦＤＭシンボルの最初のＯＦＤＭシンボルまたは最後のＯＦＤＭシンボルであることをさらに示す、請求項８に記載のＷＴＲＵ。
【請求項１１】
前記構成は、前記タイムスロット内の前記複数のＯＦＤＭシンボルのうちの複数が前記ＤＭ−ＲＳを送信するために使用されるべきであることを示し、前記構成は、前記ＤＭ−ＲＳの送信のための前記複数のＯＦＤＭシンボルのうちの２つまたは複数の非連続的なＯＦＤＭシンボルをさらに指定する、請求項８に記載のＷＴＲＵ。
【請求項１２】
前記構成は、前記ＤＭ−ＲＳを送信するために使用される前記複数のＯＦＤＭシンボルのうちの前記１つまたは複数上で、サブキャリアの第１のサブセットが前記ＤＭ−ＲＳを送信するために使用されるべきであること、およびサブキャリアの第２のサブセットが物理アップリンク共有チャネル（ＰＵＳＣＨ）送信または物理アップリンクコントロールチャネル（ＰＵＣＣＨ）制御情報を送信するために使用されるべきであること、をさらに示す、請求項８に記載のＷＴＲＵ。
【請求項１３】
サブキャリアの前記第１のサブセットが偶数のサブキャリアのみを含み、サブキャリアの前記第２のサブセットが奇数のサブキャリアのみを含むか、または、サブキャリアの前記第１のサブセットが奇数のサブキャリアのみを含み、サブキャリアの前記第２のサブセットが偶数のサブキャリアのみを含む、請求項１２に記載のＷＴＲＵ。
【請求項１４】
前記ＤＭ−ＲＳ送信は、周波数分割多重化方式（scheme）を使用して前記ＰＵＳＣＨ送信またはＰＵＣＣＨ送信がインターレースされる、請求項１２に記載のＷＴＲＵ。
【発明の詳細な説明】
【技術分野】
【０００１】
本願は、改善されたアップリンクスペクトル効率に関する。
【背景技術】
【０００２】
復調参照シンボル（ＤＭ−ＲＳ：demodulation reference symbol）は、コヒーレントな復調のチャネル推定に提供され得る。ＤＭ−ＲＳを、物理アップリンク共有チャネル（ＰＵＳＣＨ：physical uplink shared channel）データおよび／または物理アップリンク制御チャネル（ＰＵＣＣＨ：physical uplink control channel）制御伝送と関連付けることができる。ＤＭ−ＲＳは、送信される全てのアップリンクのタイムスロット内に存在し得る。
【０００３】
図２Ａは、標準循環プリフィックスを用いたサブフレームへのＤＭ−ＲＳ伝送の先行技術マッピングの図である。図２Ｂは、拡張循環プリフィックスを用いたサブフレームへのＤＭ−ＲＳ伝送の先行技術マッピングの図である。図２Ｃは、標準循環プリフィックスを用いたサブフレームのサブキャリア間のＤＭ−ＲＳ伝送の先行技術マッピングの図である。ＤＭ−ＲＳは、各タイムスロットの直交周波数分割多重（ＯＦＤＭ：orthogonal frequency-division multiplexing）シンボルにマップされ得る。図２Ａに示すように、標準循環プリフィックスの場合、ＤＭ−ＲＳは、各タイムスロットの４番目のＯＦＤＭシンボルにマップされ得る。図２Ｂに示すように、拡張循環プリフィックスの場合、ＤＭ−ＲＳは、各タイムスロットの３番目のＯＦＤＭシンボルにマップされ得る。図２Ｃに示すように、ＤＭ−ＲＳは、そのＤＭ−ＲＳがマップされるＯＦＤＭシンボルの全てのサブキャリアにマップされ得る。
【発明の概要】
【０００４】
例えば、アップリンク伝送における制御シグナリングを削減するための方法およびシステムが開示される。例えば、無線送信／受信ユニット（ＷＴＲＵ：wireless transmit/receive unit）によって送信される制御シグナリングを制限するために、ＤＭ−ＲＳ伝送スケジュールを定義して、以前のＬＴＥリリースに比べてより少ないＤＭ−ＲＳが送信される。一例において、ＤＭ−ＲＳ伝送のロケーションおよび／またはコーディングは、シグナリングオーバーヘッドを削減するために、以前のＬＴＥリリースのロケーションおよび／またはコーディングとは異なる。アップリンクＤＭ−ＲＳ伝送スケジュールを動的に切り替えるため、および動的アップリンクＤＭ−ＲＳ伝送スケジュール切り替えを用いて再送信を遂行するための方法およびシステムが開示される。
【０００５】
ＷＴＲＵは、プロセッサを含むことができる。プロセッサは、復調参照シンボル（ＤＭ−ＲＳ）伝送スケジュールの使用を判定するように構成され得る。例えば、プロセッサは、複数のＤＭ−ＲＳ伝送スケジュールの中からＤＭ−ＲＳ伝送スケジュールを使用することを判定できる。ＤＭ−ＲＳ伝送スケジュールは、ＤＭ−ＲＳ伝送がデータストリームのサブフレームの単一の直交周波数分割多重（ＯＦＤＭ）シンボルにマップされることによって特徴付けられる。そのため、ＤＭ−ＲＳ伝送は、サブフレームの単一のタイムスロットにマップされ得る。ＤＭ−ＲＳ伝送は、１または複数のＤＭ−ＲＳを参照できる。
【０００６】
ＯＦＤＭシンボルは、サブフレームの第１のタイムスロットと関連付けられ、ＤＭ−ＲＳ伝送スケジュールは、物理アップリンク共有チャネル（ＰＵＳＣＨ）伝送および／または物理アップリンク制御チャネル（ＰＵＣＣＨ）制御情報がデータストリームのサブフレームの第２のタイムスロットの対応するＯＦＤＭシンボルにマップされることによって特徴付けられる。ＯＦＤＭシンボルは、サブフレームの第２のタイムスロットと関連付けられ、ＤＭ−ＲＳ伝送スケジュールは、ＰＵＳＣＨ伝送および／またはＰＵＣＣＨ制御情報がデータストリームのサブフレームの第１のタイムスロットの対応するＯＦＤＭシンボルにマップされることによって特徴付けられる。タイムスロットの対応するＯＦＤＭシンボルは、同じ相対的な時間または位置を有する別のタイムスロットのＯＦＤＭシンボルを参照できる（例えば、タイムスロットのｎ番目のＯＦＤＭシンボルが対応するＯＦＤＭシンボルとなるであろう）。
【０００７】
ＯＦＤＭシンボルは、サブフレームの第１のタイムスロットの最後のＯＦＤＭシンボル（例えば、位置６または７のＯＦＤＭシンボルは、循環プリフィックス（ＣＰ：cyclic prefix）に応じて異なる）となる。ＯＦＤＭシンボルは、サブフレームの第２のタイムスロットの最初のＯＦＤＭシンボル（例えば、位置１のＯＦＤＭシンボル）となる。
【０００８】
ＤＭ−ＲＳ伝送スケジュールは、ＤＭ−ＲＳ伝送がデータストリームの第１のサブフレームの第１のタイムスロットのＯＦＤＭシンボルにマップされることによって、およびＤＭ−ＲＳ伝送がデータストリームの第２のサブフレームの第２のタイムスロットのＯＦＤＭシンボルにマップされることによって特徴付けられる。第１のサブフレームのＯＦＤＭシンボルは、第２のサブフレームのＯＦＤＭシンボルと同じ時間位置または異なる時間位置であってよい。ＯＦＤＭシンボルの時間位置は、タイムスロット内のＯＦＤＭシンボルの相対的時間位置（例えば、ｎ番目のＯＦＤＭシンボル）を参照できる。
【０００９】
ＤＭ−ＲＳ伝送スケジュールは、ＤＭ−ＲＳ伝送がデータストリームのサブフレームのＯＦＤＭシンボルのサブキャリアの第１のサブセットにマップされることによって、およびＰＵＳＣＨ伝送および／またはＰＵＣＣＨ制御情報がＯＦＤＭシンボルのサブキャリアの第２のセットにマップされることによって特徴付けられる。サブキャリアの第１のセットは、サブキャリアの第２のセットと異なる。ＯＦＤＭシンボルのサブキャリアの第１のサブセットは、ＯＦＤＭシンボルのサブキャリアの半分である。ＯＦＤＭシンボルのサブキャリアの第１のサブセットは、ＯＦＤＭシンボルの物理リソースブロックの最初の６つのサブキャリアとなる。ＯＦＤＭシンボルのサブキャリアの第１のサブセットは、ＯＦＤＭシンボルの物理リソースブロックの最後の６つのサブキャリアとなる。ＯＦＤＭシンボルのサブキャリアの第１のサブセットは、１２の整数倍となる。サブキャリアの第１のサブセットが偶数のサブキャリアとなり、およびサブキャリアの第２のサブセットが奇数のサブキャリアとなる。サブキャリアの第１のサブセットが奇数のサブキャリアとなり、およびサブキャリアの第２のサブセットが偶数のサブキャリアとなる。
【００１０】
プロセッサは、ＤＭ−ＲＳ伝送スケジュールに従ってデータストリームを送信するように構成され得る。データストリームは、ＰＵＳＣＨ伝送および／またはＰＵＣＣＨ制御情報を含むことができる。プロセッサは、ＷＴＲＵがスモールセルに接続されているかどうかに基づいておよび／またはＷＴＲＵがマクロセルに接続されているかどうかに基づいてＤＭ−ＲＳ伝送スケジュールを使用するように判定できる。複数のＤＭ−ＲＳ伝送スケジュールは、１または複数のレガシーのＤＭ−ＲＳ伝送スケジュールを含むことができる。
【図面の簡単な説明】
【００１１】
【図１Ａ】開示された１または複数の実施形態を実装できる例示的な通信システムのシステム図である。
【図１Ｂ】図１Ａに示した通信システム内で使用され得る例示的な無線送信／受信ユニット（ＷＴＲＵ）のシステム図である。
【図１Ｃ】図１Ａに示した通信システム内で使用され得る例示的な無線アクセスネットワークおよび例示的なコアネットワークのシステム図である。
【図１Ｄ】図１Ａに示した通信システム内で使用され得る別の例示的な無線アクセスネットワークおよび別の例示的なコアネットワークのシステム図である。
【図１Ｅ】図１Ａに示した通信システム内で使用され得る別の例示的な無線アクセスネットワークおよび別の例示的なコアネットワークのシステム図である。
【図２Ａ】標準循環プリフィックスを用いたサブフレームにおける復調参照シンボル（ＤＭ−ＲＳ）伝送の先行技術マッピングの図である。
【図２Ｂ】拡張循環プリフィックスを用いたサブフレームへのＤＭ−ＲＳ伝送の先行技術マッピングの図である。
【図２Ｃ】標準循環プリフィックスを用いたサブフレームのサブキャリア間のＤＭ−ＲＳ伝送の先行技術マッピングの図である。
【図３Ａ】標準循環プリフィックスを用いたサブフレームの第１のタイムスロットへのＤＭ−ＲＳ伝送の例示的なマッピングの図である。
【図３Ｂ】標準循環プリフィックスを用いたサブフレームの第２のタイムスロットへのＤＭ−ＲＳ伝送の例示的なマッピングの図である。
【図４】標準循環プリフィックスを用いたサブフレームのタイムスロットのエッジにシフトされ得るＤＭ−ＲＳ伝送の例示的なマッピングの図である。
【図５】標準循環プリフィックスを用いたサブフレームバンドリングを使用した２つのサブフレームへのＤＭ−ＲＳ伝送の例示的なマッピングの図である。
【図６】サブフレームの２つのタイムスロットの直交周波数分割多重（ＯＦＤＭ）シンボルのサブキャリアのサブセットへのＤＭ−ＲＳ伝送の例示的なマッピングの図である。
【図７】サブフレームの２つのタイムスロットのＯＦＤＭシンボルのサブキャリアのサブセットへのＤＭ−ＲＳ伝送の例示的なマッピングの図である。
【発明を実施するための形態】
【００１２】
これより具体的な実施形態の詳細な説明をさまざまな図を参照して説明する。この説明は、可能な実装の詳細な例を提供するが、その詳細は、例示的なものであり、決して本出願の範囲を限定することを意図しないことに留意されたい。
【００１３】
図１Ａは、開示された１または複数の実施形態を実装できる例示的な通信システム１００の図である。通信システム１００は、音声、データ、ビデオ、メッセージング、ブロードキャストなどのコンテンツを複数の無線ユーザに提供する、多元接続システムであってよい。通信システム１００は、複数の無線ユーザが、無線帯域幅を含むシステムリソースの共有を通じて、そのようなコンテンツにアクセスすることを可能にできる。例えば、通信システム１００は、符号分割多重接続（ＣＤＭＡ）、時分割多重接続（ＴＤＭＡ）、周波数分割多重接続（ＦＤＭＡ）、直交ＦＤＭＡ（ＯＦＤＭＡ）、シングルキャリアＦＤＭＡ（ＳＣ−ＦＤＭＡ）などの、１または複数のチャネルアクセス方法を用いることができる。
【００１４】
図１Ａに示すように、通信システム１００は、無線送信／受信ユニット（ＷＴＲＵ）１０２ａ、１０２ｂ、１０２ｃ、および／または１０２ｄ（一般的にまたはまとめてＷＴＲＵ１０２と呼ばれてもよい）、無線アクセスネットワーク（ＲＡＮ）１０３／１０４／１０５、コアネットワーク１０６／１０７／１０９、公衆交換電話網（ＰＳＴＮ）１０８、インターネット１１０、および他のネットワーク１１２を含むことができるが、開示された実施形態は、任意の数のＷＴＲＵ、基地局、ネットワーク、および／またはネットワーク要素を企図することが認識されよう。ＷＴＲＵ１０２ａ、１０２ｂ、１０２ｃ、１０２ｄのそれぞれは、無線環境で操作および／または通信するように構成された任意のタイプのデバイスであってよい。一例として、ＷＴＲＵ１０２ａ、１０２ｂ、１０２ｃ、１０２ｄは、無線信号を送信および／または受信するように構成されてもよく、ユーザ機器（ＵＥ）、移動局、固定式または移動式加入者ユニット、ページャ、セルラー電話、携帯情報端末（ＰＤＡ）、スマートフォン、ラップトップ、ネットブック、パーソナルコンピュータ、無線センサ、家電製品などを含むことができる。
【００１５】
通信システム１００はまた、基地局１１４ａと基地局１１４ｂを含むこともできる。基地局１１４ａ、１１４ｂのそれぞれは、ＷＴＲＵ１０２ａ、１０２ｂ、１０２ｃ、１０２ｄのうちの少なくとも１つと無線によりインタフェースして、コアネットワーク１０６／１０７／１０９、インターネット１１０、および／またはネットワーク１１２などの、１または複数の通信ネットワークへのアクセスを容易にするように構成された任意のタイプのデバイスであってよい。一例として、基地局１１４ａ、１１４ｂは、トランシーバ基地局（ＢＴＳ：base transceiver station）、ノードＢ、ｅノードＢ、ホームノードＢ、ホームｅノードＢ、サイトコントローラ、アクセスポイント（ＡＰ）、無線ルータなどであってよい。基地局１１４ａ、１１４ｂはそれぞれ、単一の要素として描かれているが、基地局１１４ａ、１１４ｂは、相互接続された任意の数の基地局および／またはネットワーク要素を含むことができることが認識されよう。
【００１６】
基地局１１４ａは、基地局コントローラ（ＢＳＣ）、無線ネットワークコントローラ（ＲＮＣ）、中継ノードなどの、他の基地局および／またはネットワーク要素（図示せず）を含むこともできる、ＲＡＮ１０３／１０４／１０５の一部にすることができる。基地局１１４ａおよび／または基地局１１４ｂは、セル（図示せず）と呼ばれてもよい、特定の地理的領域内で無線信号を送信および／または受信するように構成され得る。セルは、セルセクタにさらに分割され得る。例えば、基地局１１４ａと関連付けられたセルを３つのセクタに分割できる。従って、一実施形態において、基地局１１４ａは、３つのトランシーバ、即ち、セルの各セクタに１トランシーバを含むことができる。別の実施形態において、基地局１１４ａは、ＭＩＭＯ(multiple-input multiple-output)技術を用いることができ、従って、セルの各セクタに複数のトランシーバを利用できる。
【００１７】
基地局１１４ａ、１１４ｂは、適した任意の無線通信リンク（例えば、無線周波数（ＲＦ）、マイクロ波、赤外線（ＩＲ）、紫外線（ＵＶ）、可視光線など）であってよい、エアインタフェース１１５／１１６／１１７を介してＷＴＲＵ１０２ａ、１０２ｂ、１０２ｃ、１０２ｄのうちの１または複数と通信できる。エアインタフェース１１５／１１６／１１７は、適した任意の無線アクセス技術（ＲＡＴ）を使用して確立できる。
【００１８】
より詳細には、上述のように、通信システム１００は、多元接続システムであってよく、ＣＤＭＡ、ＴＤＭＡ、ＦＤＭＡ、ＯＦＤＭＡ、ＳＣ−ＦＤＭＡなどの、１または複数のチャネルアクセススキームを用いることができる。例えば、ＲＡＮ１０３／１０４／１０５内の基地局１１４ａおよびＷＴＲＵ１０２ａ、１０２ｂ、１０２ｃは、ＷＣＤＭＡ（登録商標）（広域帯ＣＤＭ）を使用してエアインタフェース１１５／１１６／１１７を確立できる、ＵＴＲＡ(universal mobile telecommunication system（ＵＭＴＳ）terrestrial radio access）などの無線技術を実装できる。ＷＣＤＭＡは、高速パケットアクセス（ＨＳＰＡ）および／または発展型ＨＳＰＡ（ＨＳＰＡ＋）などの通信プロトコルを含むことができる。ＨＳＰＡは、高速ダウンリンクパケットアクセス（ＨＳＤＰＡ）および／または高速アップリンクパケットアクセス（ＨＳＵＰＡ）を含むことができる。
【００１９】
別の実施形態において、基地局１１４ａおよびＷＴＲＵ１０２ａ、１０２ｂ、１０２ｃは、ＬＴＥ（long term evolution）および／またはＬＴＥ−Ａ（LTE-Advanced）を使用してエアインタフェース１１５／１１６／１１７を確立できる、Ｅ−ＵＴＲＡ（Evolved-UTRA）などの無線技術を実装できる。
【００２０】
他の実施形態において、基地局１１４ａおよびＷＴＲＵ１０２ａ、１０２ｂ、１０２ｃは、ＩＥＥＥ８０２．１６（即ち、ＷｉＭＡＸ(Worldwide Interoperability for Microwave Access)、ＣＤＭＡ２０００、ＣＤＭＡ２０００１Ｘ、ＣＤＭＡ２０００ＥＶ−ＤＯ、ＩＳ−２０００(Interim Standard 2000)、ＩＳ−９５(Interim Standard 95)、ＩＳ−８５６(Interim Standard 856)、ＧＳＭ（登録商標）(Global System for Mobile communications)、ＥＤＧＥ(Enhanced Data rates for GSM Evolution)、ＧＥＲＡＮ(GSM EDGE)などの無線技術を実装できる。
【００２１】
図１Ａの基地局１１４ｂは、例えば、無線ルータ、ホームノードＢ、ホームｅノードＢ、またはアクセスポイントであってよく、職場、住居、車、キャンパスなどの、ローカルエリアで無線接続性を容易にするために適した任意のＲＡＴを利用できる。一実施形態において、基地局１１４ｂおよびＷＴＲＵ１０２ｃ、１０２ｄは、無線ローカルエリアネットワーク（ＷＬＡＮ）を確立するＩＥＥＥ８０２．１１などの、無線技術を実装できる。別の実施形態において、基地局１１４ｂおよびＷＴＲＵ１０２ｃ、１０２ｄは、無線パーソナルエリアネットワーク（ＷＰＡＮ）を確立するＩＥＥＥ８０２．１５などの、無線技術を実装できる。さらに別の実施形態において、基地局１１４ｂおよびＷＴＲＵ１０２ｃ、１０２ｄは、セルベースのＲＡＴ（例えば、ＷＣＤＭＡ、ＣＤＭＡ２０００、ＧＳＭ、ＬＴＥ、ＬＴＥ−Ａなど）を利用して、ピコセルまたはフェムトセルを確立できる。図１Ａに示すように、基地局１１４ｂは、インターネット１１０に直接接続できる。従って、基地局１１４ｂは、コアネットワーク１０６／１０７／１０９経由でインターネット１１０にアクセスしなくてもよい。
【００２２】
ＲＡＮ１０３／１０４／１０５は、音声、データ、アプリケーション、および／またはＶｏＩＰ（Voice over IP）サービスをＷＴＲＵ１０２ａ、１０２ｂ、１０２ｃ、１０２ｄのうち１または複数に提供するように構成された任意のタイプのネットワークであってよい、コアネットワーク１０６／１０７／１０９と通信できる。例えば、コアネットワーク１０６／１０７／１０９は、呼制御、課金サービス、モバイルロケーションベースのサービス、プリペイド電話、インターネット接続性、ビデオ分散などを提供でき、および／またはユーザ認証などのハイレベルのセキュリティ機能を遂行できる。図１Ａに示していないが、ＲＡＮ１０３／１０４／１０５および／またはコアネットワーク１０６／１０７／１０９は、ＲＡＮ１０３／１０４／１０５と同じＲＡＴまたは異なるＲＡＴを用いる、他のＲＡＴとの直接または間接通信であってよいことが認識されよう。例えば、Ｅ−ＵＴＲＡ無線技術を利用できるＲＡＮ１０３／１０４／１０５に接続されることに加えて、コアネットワーク１０６／１０７／１０９はまた、ＧＳＭ無線技術を用いた別のＲＡＮ（図示せず）と通信することもできる。
【００２３】
コアネットワーク１０６／１０７／１０９はまた、ＷＴＲＵ１０２ａ、１０２ｂ、１０２ｃ、１０２ｄがＰＳＴＮ１０８、インターネット１１０、および／または他のネットワーク１１２にアクセスするためのゲートウェイとして機能することもできる。ＰＳＴＮ１０８は、旧来の音声電話サービス（ＰＯＳＴ）を提供する回線交換電話網を含むことができる。インターネット１１０は、ＴＣＰ／ＩＰインターネットプロトコルスイートにおける伝送制御プロトコル（ＴＣＰ）、ユーザデータグラムプロトコル（ＵＤＰ）およびインターネットプロトコル（ＩＰ）などの、共通の通信プロトコルを使用して相互接続されたコンピュータネットワークおよびデバイスのグローバルシステムを含むことができる。ネットワーク１１２は、他のサービスプロバイダによって所有および／または運用される有線または無線通信ネットワークを含むことができる。例えば、ネットワーク１１２は、ＲＡＮ１０３／１０４／１０５と同じＲＡＴまたは異なるＲＡＴを用いることができる、１または複数のＲＡＮに接続された別のコアネットワークを含むことができる。
【００２４】
通信システム１００内のＷＴＲＵ１０２ａ、１０２ｂ、１０２ｃ、１０２ｄの一部またはすべては、マルチモード能力を含むことができる。即ち、ＷＴＲＵ１０２ａ、１０２ｂ、１０２ｃ、１０２ｄは、異なる無線リンクを介して異なる無線ネットワークと通信する複数のトランシーバを含むことができる。例えば、図１Ａに示したＷＴＲＵ１０２ｃは、セルベースの無線技術を用いることができる基地局１１４ａと、ＩＥＥＥ８０２無線技術を用いることができる基地局１１４ｂとの通信を行うように構成され得る。
【００２５】
図１Ｂは、例示的なＷＴＲＵ１０２のシステム図である。図１Ｂに示すように、ＷＴＲＵ１０２は、プロセッサ１１８、トランシーバ１２０、送信／受信エレメント１２２、スピーカ／マイクロフォン１２４、キーパッド１２６、ディスプレイ／タッチパッド１２８、ノンリムーバブルメモリ１３０、リムーバブルメモリ１３２、電源１３４、全地球測位システム（ＧＰＳ）チップセット１３６、および他の周辺機器１３８を含むことができる。ＷＴＲＵ１０２は、実施形態と整合性を保った上で、上述の要素の任意の組み合わせを含むことができることが認識されよう。また、実施形態は、基地局１１４ａおよび１１４ｂ、および／または基地局１１４ａおよび１１４ｂが、限定されるわけではないが、とりわけトランシーバ基地局（ＢＴＳ）、ノードＢ、サイトコントローラ、アクセスポイント（ＡＰ）、ホームノードＢ、発展型ホームノードＢ（ｅノードＢ）、ホーム発展型ノードＢ（ＨｅＮＢ）、ホーム発展型ノードＢゲートウェイ、およびプロキシノードを表すことができるノードが、図１Ｂおよび本明細書に記載の要素の一部またはすべてを含むことができることを企図する。
【００２６】
プロセッサ１１８は、汎用プロセッサ、専用プロセッサ、従来型プロセッサ、デジタル信号プロセッサ（ＤＳＰ）、複数のマイクロプロセッサ、ＤＳＰコアと連動する１または複数のマイクロプロセッサ、コントローラ、マイクロコントローラ、特定用途向け集積回路（ＡＳＩＣ）、ＦＰＧＡ（field programmable gate array）回路、その他のタイプの集積回路（ＩＣ）、ステートマシンなどであってよい。プロセッサ１１８は、信号コーディング、データ処理、電力制御、入力／出力処理、および／またはＷＴＲＵ１０２が無線環境で動作可能にさせるその他の機能性を遂行できる。プロセッサ１１８をトランシーバ１２０に結合でき、そのトランシーバを送信／受信エレメント１２２に結合できる。図１Ｂは、プロセッサ１１８とトランシーバ１２０とを個別のコンポーネントとして示しているが、プロセッサ１１８とトランシーバ１２０とを電子パッケージまたはチップ内にまとめることができることが認識されよう。
【００２７】
送信／受信エレメント１２２は、エアインタフェース１１５／１１６／１１７を介して基地局（例えば、基地局１１４ａ）に信号を送信する、または基地局から信号を受信するように構成され得る。例えば、一実施形態において、送信／受信エレメント１２２は、ＲＦ信号を送信および／または受信するように構成されたアンテナであってよい。別の実施形態において、送信／受信エレメント１２２は、例えば、ＩＲ、ＵＶ、または可視光線信号を送信および／または受信するように構成されたエミッタ／検出器であってよい。さらに別の実施形態において、送信／受信エレメント１２２は、ＲＦ信号と光信号との両方を送受信するように構成され得る。送信／受信エレメント１２２は、無線信号の任意の組み合わせを送信および／または受信するように構成され得ることが認識されよう。
【００２８】
さらに、送信／受信エレメント１２２を単一のエレメントとして図１Ｂに示しているが、ＷＴＲＵ１０２は、任意の数の送信／受信エレメント１２２を含むことができる。より詳細には、ＷＴＲＵ１０２は、ＭＩＭＯ技術を用いることができる。従って、一実施形態において、ＷＴＲＵ１０２は、エアインタフェース１１５／１１６／１１７を介して無線信号を送受信する２または３以上の送信／受信エレメント１２２（例えば、複数のアンテナ）を含むことができる。
【００２９】
トランシーバ１２０は、送信／受信エレメント１２２によって送信される信号を変調して、送信／受信エレメント１２２によって受信された信号を復調するように構成され得る。上述のように、ＷＴＲＵ１０２は、マルチモード能力を有することができる、従って、トランシーバ１２０は、ＷＴＲＵ１０２が、例えば、ＵＴＲＡおよびＩＥＥＥ８０２．１１などの、複数のＲＡＴ経由で通信することを可能にする複数のトランシーバを含むことができる。
【００３０】
ＷＴＲＵ１０２のプロセッサ１１８は、スピーカ／マイクロフォン１２４、キーパッド１２６、および／またはディスプレイ／タッチパッド１２８（例えば、液晶ディスプレイ（ＬＣＤ）表示ユニットまたは有機発光ダイオード（ＯＬＥＤ）表示ユニット）に結合されて、それらからユーザ入力データを受信できる。プロセッサ１１８はまた、スピーカ／マイクロフォン１２４、キーパッド１２６、および／またはディスプレイ／タッチパッド１２８に、ユーザデータを出力することもできる。さらに、プロセッサ１１８は、ノンリムーバブルメモリ１３０および／またはリムーバブルメモリ１３２などの、適した任意のタイプのメモリからの情報にアクセスして、それらのメモリにデータを記憶できる。ノンリムーバブルメモリ１３０は、ランダムアクセスメモリ（ＲＡＭ）、リードオンリーメモリ（ＲＯＭ）、ハードディスク、またはその他のタイプのメモリ記憶デバイスを含むことができる。リムーバブルメモリ１３２は、契約者識別モジュール（ＳＩＭ）カード、メモリスティック、セキュアデジタル（ＳＤ）メモリカードなどを含むことができる。他の実施形態において、プロセッサ１１８は、サーバまたはホームコンピュータ（図示せず）などの、物理的にＷＴＲＵ１０２に置かれていないメモリからの情報にアクセスして、それらのメモリにデータを記憶できる。
【００３１】
プロセッサ１１８は、電源１３４から電力を受け取ることができ、その電力をＷＴＲＵ１０２内の他のコンポーネントに分散および／または制御するように構成され得る。電源１３４は、ＷＴＲＵ１０２に電力供給するのに適した任意のデバイスであってよい。例えば、電源１３４は、１または複数の乾電池（例えば、ニッケルカドミウム（ＮｉＣｄ）、ニッケル亜鉛（ＮｉＺｎ）、ニッケル水素（ＮｉＭＨ）、リチウムイオン（Ｌｉ−ｉｏｎ）など）、太陽電池、燃料電池などを含むことができる。
【００３２】
プロセッサ１１８はまた、ＧＰＳチップセット１３６を、ＷＴＲＵ１０２の現在の位置に関する位置情報（例えば、経緯度）を提供するように構成され得る、ＧＰＳチップセット１３６にも結合され得る。追加または代替として、ＧＰＳチップセット１３６からの情報により、ＷＴＲＵ１０２は、基地局（例えば、基地局１１４ａ、１１４ｂ）からエアインタフェース１１５／１１６／１１７を介して位置情報を受信し、および／または２または３以上の近隣の基地局から受信される信号のタイミングに基づいてＷＴＲＵの位置を判定できる。ＷＴＲＵ１０２は、実施形態と整合性を保った上で、適した任意の位置判定方法によって位置情報を獲得できることが認識されよう。
【００３３】
プロセッサ１１８は、付加的な特徴、機能性および／または有線または無線接続性を提供する、１または複数のソフトウェアモジュールおよび／またはハードウェアモジュールを含むことができる、他の周辺機器１３８にさらに結合され得る。例えば、周辺機器１３８は、加速度計、電子コンパス、衛星トランシーバ、デジタルカメラ（写真またはビデオ用）、ユニバーサルシリアルバス（ＵＳＢ）ポート、振動デバイス、テレビトランシーバ、ハンズフリーヘッドセット、Ｂｌｕｅｔｏｏｔｈ（登録商標）モジュール、周波数変調（ＦＭ）無線ユニット、デジタル音楽プレーヤ、メディアプレーヤ、ビデオゲームプレーヤモジュール、インターネットブラウザなどを含むことができる。
【００３４】
図１Ｃは、実施形態に従ったＲＡＮ１０３およびコアネットワーク１０６のシステム図である。上述のように、ＲＡＮ１０３は、ＵＴＲＡ無線技術を用いて、エアインタフェース１１５を介してＷＴＲＵ１０２ａ、１０２ｂ、１０２ｃと通信できる。ＲＡＮ１０３はさらに、コアネットワーク１０６とも通信できる。図１Ｃに示すように、ＲＡＮ１０３は、エアインタフェース１１５を介してＷＴＲＵ１０２ａ、１０２ｂ、１０２ｃと通信するための１または複数のトランシーバを含むことができる、ノードＢ１４０ａ、１４０ｂ、１４０ｃを含むことができる。ノードＢ１４０ａ、１４０ｂ、１４０ｃのそれぞれをＲＡＮ１０３内の特定のセル（図示せず）と関連付けることができる。ＲＡＮ１０３はさらに、ＲＮＣ１４２ａ、１４２ｂを含むこともできる。ＲＡＮ１０３は、実施形態と整合性を保った上で、任意の数のノードＢおよびＲＮＣを含むことができることが認識されよう。
【００３５】
図１Ｃに示すように、ノードＢ１４０ａ、１４０ｂは、ＲＮＣ１４２ａと通信できる。付加的には、ノードＢ１４０ｃは、ＲＮＣ１４２ｂと通信できる。ノードＢ１４０ａ、１４０ｂ、１４０ｃは、Ｉｕｂインタフェース経由でそれぞれＲＮＣ１４２ａ、１４２ｂと通信できる。ＲＮＣ１４２ａ、１４２ｂは、Ｉｕｒインタフェース経由で互いに通信できる。ＲＮＣ１４２ａ、１４２ｂのそれぞれは、接続されているノードＢ１４０ａ、１４０ｂ、１４０ｃのそれぞれを制御するように構成され得る。さらに、ＲＮＣ１４２ａ、１４２ｂのそれぞれは、アウターループ電力制御、読み込み制御、許可制御、パケットスケジューリング、ハンドオーバー制御、マクロダイバーシティ、セキュリティ関数、データ暗号化などの、他の機能性を実施するまたはサポートするように構成され得る。
【００３６】
図１Ｃに示したコアネットワーク１０６は、メディアゲートウェイ（ＭＧＷ）１４４、モバイル交換センター（ＭＳＣ）１４６、サービングＧＰＲＳサポートノード（ＳＧＳＮ）１４８、および／またはゲートウェイＧＰＲＳサポートノード（ＧＧＳＮ）１５０を含むことができる。上述した要素のそれぞれをコアネットワーク１０６の一部として示しているが、これらの要素のいずれも、コアネットワーク通信業者以外のエンティティによって所有および／または運用可能であることが認識されよう。
【００３７】
ＲＡＮ１０３内のＲＮＣ１４２ａをＩｕＣＳインタフェース経由でコアネットワーク１０６内のＭＳＣ１４６に接続できる。ＭＳＣ１４６をＭＧＷ１４４に接続できる。ＭＳＣ１４６およびＭＧＷ１４４は、ＷＴＲＵ１０２ａ、１０２ｂ、１０２ｃにＰＳＴＮ１０８などの回路交換ネットワークへのアクセスを提供して、ＷＴＲＵ１０２ａ、１０２ｂ、１０２ｃと従来の固定電話回線による通信デバイスとの間の通信を容易にすることができる。
【００３８】
ＲＡＮ１０３内のＲＮＣ１４２ａはまた、ＩｕＰＳインタフェース経由でコアネットワーク１０６内のＳＧＳＮ１４８にも接続され得る。ＳＧＳＮ１４８をＧＣＳＮ１５０に接続できる。ＳＧＳＮ１４８およびＧＣＳＮ１５０は、ＷＴＲＵ１０２ａ、１０２ｂ、１０２ｃにインターネット１１０などの、パケット交換ネットワークへのアクセスを提供して、ＷＴＲＵ１０２ａ、１０２ｂ、１０２ｃとＩＰ対応（IP-enabled）デバイスとの間の通信を容易にすることができる。
【００３９】
上述のように、コアネットワーク１０６はまた、他のサービスプロバイダによって所有および／または運用される他の有線または無線ネットワークを含むことができる、ネットワーク１１２にも接続され得る。
【００４０】
図１Ｄは、別の実施形態に従ったＲＡＮ１０４およびコアネットワーク１０７のシステム図である。上述のように、ＲＡＮ１０４は、Ｅ−ＵＴＲＡ無線技術を用いて、エアインタフェース１１６を介してＷＴＲＵ１０２ａ、１０２ｂ、１０２ｃと通信できる。ＲＡＮ１０４はまた、コアネットワーク１０７とも通信できる。
【００４１】
ＲＡＮ１０４は、ｅノードＢ１６０ａ、１６０ｂ、１６０ｃを含むことができるが、ＲＡＮ１０４は、実施形態と整合性を保った上で、任意の数のｅノードＢを含むことができることが認識されよう。ｅノードＢ１６０ａ、１６０ｂ、１６０ｃはそれぞれ、エアインタフェース１１６を介してＷＴＲＵ１０２ａ、１０２ｂ、１０２ｃと通信するための１または複数のトランシーバを含むことができる。一実施形態において、ｅノードＢ１６０ａ、１６０ｂ、１６０ｃは、ＭＩＭＯ技術を実装できる。従って、ｅノードＢ１６０ａは、例えば、ＷＴＲＵ１０２ａに無線信号を送信し、そしてそのＷＴＲＵから無線信号を受信するための複数のアンテナを使用できる。
【００４２】
ｅノードＢ１６０ａ、１６０ｂ、１６０ｃのそれぞれを特定のセル（図示せず）と関連付けることができ、そして無線リソース管理決定、ハンドオーバー決定、アップリンクおよび／またはダウンリンクのユーザのスケジューリングなどを処理するように構成され得る。図１Ｄに示すように、ｅノードＢ１６０ａ、１６０ｂ、１６０ｃは、Ｘ２インタフェースを介して互いに通信できる。
【００４３】
図１Ｄに示したコアネットワーク１０７は、ＭＭＥモビリティ管理ゲートウェイ（ＭＭＥ）１６２、サービングゲートウェイ１６４、およびパケットデータネットワーク（ＰＤＮ）ゲートウェイ１６６を含むことができる。上述した要素のそれぞれをコアネットワーク１０７の一部として示しているが、これらの要素のいずれも、コアネットワーク通信業者以外のエンティティによって所有および／または運用可能であることが認識されよう。
【００４４】
ＭＭＥ１６２を、Ｓ１インタフェース経由でＲＡＮ１０４内のｅノードＢ１６０ａ、１６０ｂ、１６０ｃのそれぞれに接続でき、制御ノードとして機能できる。例えば、ＭＭＥ１６２は、ＷＴＲＵ１０２ａ、１０２ｂ、１０２ｃのユーザを認証すること、ベアラのアクティブ化／非アクティブ化、ＷＴＲＵ１０２ａ、１０２ｂ、１０２ｃの初期接続（initial attach）時に特定のサービングゲートウェイを選択することなどに関与することができる。ＭＭＥ１６２はまた、ＲＡＮ１０４と、ＧＳＭまたはＷＣＤＭＡなどの他の無線技術を用いる他のＲＡＮ（図示せず）とを切り替える制御プレーン機能を提供することもできる。
【００４５】
サービングゲートウェイ１６４をＳ１インタフェース経由でＲＡＮ１０４内のｅノードＢ１６０ａ、１６０ｂ、１６０ｃのそれぞれに接続できる。サービングゲートウェイ１６４は一般に、ＷＴＲＵ１０２ａ、１０２ｂ、１０２ｃへの／からのユーザデータパケットをルートしてフォワードできる。サービングゲートウェイ１６４は、ｅノードＢ間のハンドオーバー時にユーザプレーンをアンカーすること、ダウンリンクデータがＷＴＲＵ１０２ａ、１０２ｂ、１０２ｃに使用可能になった時にページングをトリガすること、ＷＴＲＵ１０２ａ、１０２ｂ、１０２ｃのコンテキストを管理して記憶することなどの、他の機能も遂行できる。
【００４６】
サービングゲートウェイ１６４はまた、ＷＴＲＵ１０２ａ、１０２ｂ、１０２ｃにインターネット１１０などの、パケット交換ネットワークへのアクセスを提供して、ＷＴＲＵ１０２ａ、１０２ｂ、１０２ｃとＩＰ対応デバイスとの間の通信を容易にすることができる、ＰＤＮゲートウェイ１６６にも接続され得る。
【００４７】
コアネットワーク１０７は、他のネットワークとの通信を容易にすることができる。例えば、コアネットワーク１０７は、ＷＴＲＵ１０２ａ、１０２ｂ、１０２ｃにＰＳＴＮ１０８などの回路交換ネットワークへのアクセスを提供して、ＷＴＲＵ１０２ａ、１０２ｂ、１０２ｃと従来の固定電話回線による通信デバイスとの間の通信を容易にすることができる。例えば、コアネットワーク１０７は、コアネットワーク１０７とＰＳＴＮ１０８との間のインタフェースとして機能するＩＰゲートウェイ（例えば、ＩＰマルチメディアサブシステム（ＩＭＳ）サーバ）を含むことができるか、またはこれと通信できる。さらに、コアネットワーク１０７は、他のサービスプロバイダによって所有および／または運用される他の有線または無線通信ネットワークを含むことができる、ネットワーク１１２へのアクセスをＷＴＲＵ１０２ａ、１０２ｂ、１０２ｃに提供できる。
【００４８】
図１Ｅは、別の実施形態に従ったＲＡＮ１０５およびコアネットワーク１０９のシステム図である。ＲＡＮ１０５は、ＩＥＥＥ８０２．１６無線技術を用いて、エアインタフェース１１７を介してＷＴＲＵ１０２ａ、１０２ｂ、１０２ｃと通信するアクセスサービスネットワーク（ＡＳＮ）であってよい。以下にさらに論じられるように、ＷＴＲＵ１０２ａ、１０２ｂ、１０２ｃの異なる機能エンティティとＲＡＮ１０５とコアネットワーク１０９との間の通信リンクを参照ポイントとして定義できる。
【００４９】
図１Ｅに示すように、ＲＡＮ１０５は、基地局１８０ａ、１８０ｂ、１８０ｃおよびＡＳＮゲートウェイ１８２を含むことができるが、ＲＡＮ１０５は、実施形態と整合性を保った上で、任意の数の基地局およびＡＳＮゲートウェイを含むことができることが認識されよう。基地局１８０ａ、１８０ｂ、１８０ｃをそれぞれ、ＲＡＮ１０５内の特定のセル（図示せず）と関連付けることができ、そしてそれぞれは、エアインタフェース１１７を介してＷＴＲＵ１０２ａ、１０２ｂ、１０２ｃと通信するための１または複数のトランシーバを含むことができる。一実施形態において、基地局１８０ａ、１８０ｂ、１８０ｃは、ＭＩＭＯ技術を実装できる。従って、基地局１８０ａは、例えば、ＷＴＲＵ１０２ａに無線信号を送信する、およびそのＷＴＲＵから無線信号を受信するための複数のアンテナを使用できる。基地局１８０ａ、１８０ｂ、１８０ｃはさらに、ハンドオフトリガリング、トンネル確立、無線リソース管理、トラフィック分類、サービス品質（ＱｏＳ）ポリシー施行などの、モビリティ管理機能を提供することもできる。ＡＳＮゲートウェイ１８２は、トラフィック集合ポイントとして機能でき、そしてページング、加入者プロファイルのキャッシング、コアネットワーク１０９へのルーティングなどに関与することができる。
【００５０】
ＷＴＲＵ１０２ａ、１０２ｂ、１０２ｃとＲＡＮ１０５との間のエアインタフェース１１７は、ＩＥＥＥ８０２．１６仕様を実装するＲ１参照ポイントとして定義され得る。さらに、ＷＴＲＵ１０２ａ、１０２ｂ、１０２ｃのそれぞれは、コアネットワーク１０９との論理インタフェース（図示せず）を確立できる。ＷＴＲＵ１０２ａ、１０２ｂ、１０２ｃとコアネットワーク１０９との間の論理インタフェースは、認証、承認、ＩＰホスト構成管理、および／またはモビリティ管理に使用できる、Ｒ２参照ポイントとして定義され得る。
【００５１】
基地局１８０ａ、１８０ｂ、１８０ｃのそれぞれの間の通信リンクは、ＷＴＲＵハンドオーバーおよび基地局間のデータ転送を容易にするためのプロトコルを含むＲ８参照ポイントとして定義できる。基地局１８０ａ、１８０ｂ、１８０ｃとＡＳＮゲートウェイ１８２との間の通信リンクをＲ６参照ポイントとして定義され得る。Ｒ６参照ポイントは、ＷＴＲＵ１０２ａ、１０２ｂ、１０２ｃのそれぞれと関連付けられるモビリティイベントに基づいてモビリティ管理を容易にするためのプロトコルを含むことができる。
【００５２】
図１Ｅに示すように、ＲＡＮ１０５をコアネットワーク１０９に接続できる。ＲＡＮ１０５とコアネットワーク１０９との間の通信リンクは、例えば、データ転送およびモビリティ管理能力を容易にするためのプロトコルを含むＲ３参照ポイントとして定義できる。コアネットワーク１０９は、モバイルＩＰホームエージェント（ＭＩＰ−ＨＡ）１８４、認証、承認、アカウンティング（ＡＡＡ）サーバ１８６、およびゲートウェイ１８８を含むことができる。上述した要素のそれぞれをコアネットワーク１０９の一部として示しているが、これらの要素のいずれも、コアネットワーク通信業者以外のエンティティによって所有および／または運用可能であることが認識されよう。
【００５３】
ＭＩＰ−ＨＡは、ＩＰアドレス管理に関与することができ、そしてＷＴＲＵ１０２ａ、１０２ｂ、１０２ｃが、異なるＡＳＮおよび／または異なるコアネットワーク間でローミングすることを可能にできる。ＭＩＰ−ＨＡ１８４は、ＷＴＲＵ１０２ａ、１０２ｂ、１０２ｃにインターネット１１０などパケット交換ネットワークへのアクセスを提供して、ＷＴＲＵ１０２ａ、１０２ｂ、１０２ｃとＩＰ対応デバイスとの間の通信を容易にすることができる。ＡＡＡサーバ１８６は、ユーザ認証およびユーザサービスのサポートに関与することができる。ゲートウェイ１８８は、他のネットワークとの相互作用を容易にすることができる。例えば、ゲートウェイ１８８は、ＷＴＲＵ１０２ａ、１０２ｂ、１０２ｃにＰＳＴＮ１０８など回路交換ネットワークへのアクセスを提供して、ＷＴＲＵ１０２ａ、１０２ｂ、１０２ｃと従来の固定電話回線による通信デバイスとの間の通信を容易にすることができる。さらに、ゲートウェイ１８８は、他のサービスプロバイダによって所有および／または運用される他の有線または無線ネットワークを含むことができる、ネットワーク１１２へのアクセスをＷＴＲＵ１０２ａ、１０２ｂ、１０２ｃに提供できる。
【００５４】
図１Ｅに示していないが、ＲＡＮ１０５を他のＡＳＮに接続でき、およびコアネットワーク１０９を他のコアネットワークに接続できることが認識されよう。ＲＡＮ１０５と他のＡＳＮとの間の通信リンクは、ＲＡＮ１０５と他のＡＳＮとの間のＷＴＲＵ１０２ａ、１０２ｂ、１０２ｃのモビリティを調整するためのプロトコルを含むことができる、Ｒ４参照ポイントとして定義され得る。コアネットワーク１０９と他のコアネットワークとの間の通信リンクは、ホームコアネットワークと移動してきた（visited）コアネットワークとの間の相互作用を容易にするためのプロトコルを含むことができる、Ｒ５参照ポイントとして定義され得る。
【００５５】
システム容量を増大して、増加するデバイス（例えば、無線送信／受信ユニット（ＷＴＲＵ）など）にサービスを提供するために、マクロセルに加えてスモールセルのレイヤを含む展開が考慮され得る。例えば、スモールセルのレイヤは、マクロセルのレイヤによって使用される周波数帯域に比べ、別個の周波数帯域および／または同じ周波数帯域のいずれかで動作するように構成され得る。このような展開を使用する結果、付加的なスペクトルの使用を経て、セルの再使用を経ておよび／またはスモールセル環境のチャネル特性に起因して実現され得るスペクトル効率利得に起因して提供される付加的な容量が生じ得る。例えば、信号対ノイズ比の大きい値がより頻繁に実現されるようにスモールセルと接続されたデバイスとの間のパスロスの分散を行うことができる。
【００５６】
現在のＬＴＥ（long term evolution）仕様は、セルサイズ、環境、およびデバイス速度に関して広範囲の展開をサポートすることを目的としている。結果として、ＬＴＥリリース８および／またはリリース１０の物理レイヤは、多様な展開のシナリオを満たすような方法で設計および構成された可能性がある。従って、ＬＴＥ物理レイヤは現在、スモールセル環境の特定のチャネル特性を最大限に利用する能力を有する方法で構成されていない場合もある。例えば、アップリンクカバレッジは、特にスモールセル環境で動作するように設計され得るさまざまな物理レイヤ技術によって強化され得る。
【００５７】
スモールセルの例は、例えば、（例えば、数キロメートルの範囲を有し得るモバイルマクロセルと比較して）１０メートルから２００メートルの範囲を有し得る免許を受けたおよび免許不要のスペクトルで動作する低出力の無線アクセスノード（例えば、ＮＢおよび／またはｅＮＢ）を含むことができる。モバイルデータトラフィックの成長をサポートするために、ネットワークは、結果として無線スペクトルのより効率的な使用となる、データオフローディングを遂行するためにスモールセルを使用できる。データオフローディングに対するこのようなスモールセルの使用は、単にマクロセルを使用するのに比べてより効率的にＬＴＥ−Ａ（LTE-Advanced）のスペクトルの管理を促進できる。
【００５８】
スモールセルは、フェムトセル、ピコセル、および／またはマクロセルのうちの１または複数を含むことができる。スモールセルネットワークはまた、分散無線技術、例えば、集中ベースバンドユニットおよびリモート無線ヘッドを使用して実現することもできる。ビームフォーミング技術（例えば、無線信号／エネルギーをかなり特殊なエリアに集中させる）を利用して、スモールセルのカバレッジをさらに強化または絞り込むことができる。スモールセルを展開するために利用される多くのアプローチに共通の要因は、移動体通信事業者によるスモールセルの集中管理である。
【００５９】
スモールセルは、例えば、ＧＳＭ、ＣＤＭＡ２０００、時分割同期符号分割多重接続（ＴＤ−ＳＣＤＭＡ）、ＷＣＤＭＡ、ＬＴＥ、ＷｉＭａｘ、および／または同種のものを含む、広範囲のエアインタフェースに展開され得る。第三世代パートナーシッププロジェクト（３ＧＰＰ）の用語において、ホームノードＢ（ＨＮＢ）は、フェムトセルおよび／またはその他のタイプのスモールセルを供給するように構成され得る。ホームｅノードＢ（ＨｅＮＢ）は、ＬＴＥフェムトセルおよび／またはその他のタイプのスモールセルを供給するように構成され得る。Ｗｉ−Ｆｉネットワークは、免許を受けたスペクトルで動作しないスモールセルの例である。結果として、免許を受けたスペクトルを通信事業者の制御下で利用するスモールセルに比べてＷｉ−Ｆｉ展開を効率的に管理することがより困難になり得る。
【００６０】
スモールセルの形式は、フェムトセルである。近距離で制限された数のチャネルを有するフェムトセルは当初、住宅および小規模の事業用に設計されていた。フェムトセルの範囲と容量の増大により、メトロセル、メトロフェムトセル、パブリックアクセスフェムトセル、エンタープライズフェムトセル、スーパーフェムト、クラス３フェムト、グレーターフェムト（greater femtos）、およびマイクロセルを含む用語の拡散が生じた。用語「スモールセル」は、このようなタイプの低出力および／または制限された範囲のセルのうちの１または複数を利用する展開を説明する包括的な用語として使用され得る。
【００６１】
効率的なスモールセルの展開によって提供され得る潜在的なシステムスループット利得を実現するために、アクセスシステムは、オーバーヘッドによって消費されるリソース量を制限するように設計され得る。例えば、潜在的なオーバーヘッドのソースは、ユーザデータを含まない物理信号によって使い果たされるリソースを含み得る。ユーザ情報を搬送できない物理レイヤリソースの例は、復調参照信号（ＤＭ−ＲＳ）である。従って、以下の技術のうちの１または複数を使用して、例えば、効率的なスモールセルスペクトルの使用を促進するスモールセル展開用にＤＭ−ＲＳ伝送を変更することができる。本明細書に記載の方法およびシステムは、任意の組み合わせにおいて使用されてよい。
【００６２】
リソース利用を改善するために物理レイヤのオーバーヘッドを削減する例をスモールセル環境に関連して説明することもあるが、本明細書に記載の例および技術は、マクロセル環境における展開に等しく適用可能となる。従って、スモールセルの展開において本明細書に記載の方法およびシステムを使用することによって一定の利益を実現できるが、実施形態は、これらの技術をマクロ展開に利用することを企図し、従ってこの開示は、技術をスモールセルの展開のみに限定するものと解釈されてはならない。
【００６３】
例として、ＷＴＲＵは、システム内のＤＭ−ＲＳの伝送スケジュールを変更することによっておよび／またはＤＭ−ＲＳの伝送全体を削減することによってオーバーヘッドの削減を可能にできる。例えば、ＤＭ−ＲＳのオーバーヘッドは、ＤＭ−ＲＳを送信するために使用されるリソース要素（ＲＥ）の数を減らすことによって削減され得る。ＤＭ−ＲＳ伝送の削減は、時間領域および／または周波数領域において遂行され得る。例えば、ＤＭ−ＲＳ伝送は、時間領域において所与の周波数リソースが１サブフレーム当たりおよび／または１伝送時間間隔（ＴＴＩ）当たりのＤＭ−ＲＳ伝送に使用され得る回数を制限することによって制限され得る。例えば、ＷＴＲＵは、サブキャリアが１サブフレーム当たり単一のＤＭ−ＲＳシンボルを有するようなサブキャリアを使用するように構成され得る。一例において、ＤＭ−ＲＳオーバーヘッドの削減は、周波数領域において例えば、ＯＦＤＭシンボルをＰＵＳＣＨ伝送とＤＭ−ＲＳ伝送との組み合わせに利用することによって実現され得る。さらに、時間および／または周波数ＤＭ−ＲＳ伝送限界のハイブリッド結合（combinations）は、ＤＭ−ＲＳ伝送のオーバーヘッドを削減するために利用され得る。
【００６４】
ＤＭ−ＲＳ伝送は、１または複数のＤＭ−ＲＳを参照できる。例えば、ＤＭ−ＲＳ伝送は、１または複数のＲＥ、１または複数のＰＲＢ、１または複数のタイムスロット、１または複数のＯＦＤＭシンボル、および／またはデータストリームの１または複数のサブフレームに分散され得る１または複数のＤＭ−ＲＳによって特徴付けられる。ＷＴＲＵは、１または複数の異なるＤＭ−ＲＳ伝送スケジュールから選択するように構成され得る。ＤＭ−ＲＳ伝送スケジュールは、本明細書に記載の例のうちの１または複数によって特徴付けられる。ＤＭ−ＲＳ伝送構成は、１または複数の異なるサブフレームに使用され得る１または複数のＤＭ−ＲＳ伝送スケジュールを参照できる。
【００６５】
一例において、ＤＭ−ＲＳ伝送は、ＤＭ−ＲＳが１サブフレーム当たり２つのＯＦＤＭシンボルではなく、サブフレーム内の単一のＯＦＤＭシンボルに送信されることによって特徴付けられる。ＤＭ−ＲＳが１サブフレーム当たり単一のＯＦＤＭシンボルに送信されると、ＤＭ−ＲＳは、サブフレームの２つのタイムスロットのうち単一のタイムスロットに送信されるであろう。そのため、ＤＭ−ＲＳは、データストリームのサブフレームの単一のＯＦＤＭシンボルにマップされ得る。
【００６６】
より少ないＯＦＤＭシンボルがＤＭ−ＲＳ伝送に使用されると、（例えば、リリース８／１０に従って）以前にＤＭ−ＲＳ伝送に使用された１または複数のＲＥが代わりに、（例えば、ＰＵＳＣＨおよび／またはＰＵＣＣＨ経由で）ユーザデータ伝送および／または制御シグナリングに使用され得る。例えば、リリース８／１０において、タイムスロットの４番目のシンボル（例えば、拡張循環プリフィックスでは３番目のシンボル）を使用して、（例えば、図２Ａに示すような）ＤＭ−ＲＳを送信することができる。一例において、タイムスロットの４番目のシンボル（例えば、拡張循環プリフィックスでは３番目のシンボル）を使用して、ＤＭ−ＲＳをサブフレームのタイムスロットの一方に送信することができるが、サブフレームのタイムスロットの他方に送信することができない。代わりに、以前ＤＭ−ＲＳ送信に使用されたシンボルをＰＵＳＣＨ伝送および／またはその他のＵＬ伝送に使用できる。
【００６７】
図３Ａは、標準循環プリフィックスを用いたサブフレームの第１のタイムスロットへのＤＭ−ＲＳ伝送の例示的なマッピングの図である。図３Ａに示すように、サブフレーム３００は、２つのタイムスロットである、第１のタイムスロット３０２と第２のタイムスロット３０４を含むことができる。ＤＭ−ＲＳ伝送３０６は、サブフレーム３００の第１のタイムスロット３０２の４番目のＯＦＤＭシンボル３０８のように、ＯＦＤＭシンボルに含まれることができる。ＤＭ−ＲＳ伝送３０６は、サブフレーム３００の第２のタイムスロット３０４に存在しない場合もある。例えば、第２のタイムスロット３０４の４番目のＯＦＤＭシンボルは、ＤＭ−ＲＳとは対照的にユーザデータおよび／または制御シグナリングを含むことができる。第１のタイムスロット３０２の４番目のＯＦＤＭシンボル３０８に含まれているものとして示されているが、ＤＭ−ＲＳ伝送３０６は、第１のタイムスロット３０２の任意のＯＦＤＭシンボルに含まれてよい。
【００６８】
図３Ｂは、標準循環プリフィックスを用いたサブフレームの第２のタイムスロットへのＤＭ−ＲＳ伝送の例示的なマッピングの図である。図３Ｂに示すように、サブフレーム３１０は、２つのタイムスロットである、第１のタイムスロット３１２と第２のタイムスロット３１４を含むことができる。ＤＭ−ＲＳ伝送３１６は、サブフレーム３１０の第２のタイムスロット３１４の４番目のＯＦＤＭシンボル３１８のように、ＯＦＤＭシンボルに含まれることができる。ＤＭ−ＲＳ伝送３１６は、サブフレーム３１０の第１のタイムスロット３１２に存在しない場合もある。例えば、第１のタイムスロット３１２の４番目のＯＦＤＭシンボルは、ユーザデータおよび／または制御シグナリングを含むことができる。第２のタイムスロット３１４の４番目のＯＦＤＭシンボル３１８に含まれているものとして示されているが、ＤＭ−ＲＳ伝送３１６は、第２のタイムスロット３１４の任意のＯＦＤＭシンボルに含まれてよい。
【００６９】
ＷＴＲＵは、例えば、複数のＤＭ−ＲＳ伝送スケジュールの中からＤＭ−ＲＳ伝送スケジュールを使用することを判定するように構成され得る。ＤＭ−ＲＳ伝送スケジュールは、ＤＭ−ＲＳ伝送がデータストリームのサブフレームの単一のＯＦＤＭシンボルにマップされることによって特徴付けられる。そのため、ＤＭ−ＲＳ伝送は、サブフレームの単一のタイムスロットにマップされ得る。ＯＦＤＭシンボルは、サブフレームの第１のタイムスロットと関連付けられ、そしてＤＭ−ＲＳ伝送スケジュールは、物理アップリンク共有チャネル（ＰＵＳＣＨ）伝送および／または物理アップリンク制御チャネル（ＰＵＣＣＨ）制御情報が（例えば、図３Ａに示すように）データストリームのサブフレームの第２のタイムスロットの対応するＯＦＤＭシンボルにマップされることによって特徴付けられる。ＯＦＤＭシンボルは、サブフレームの第２のタイムスロットと関連付けられ、そしてＤＭ−ＲＳ伝送スケジュールは、ＰＵＳＣＨ伝送および／またはＰＵＣＣＨ制御情報が（例えば、図３Ｂに示すように）データストリームのサブフレームの第１のタイムスロットの対応するＯＦＤＭシンボルにマップされることによって特徴付けられる。タイムスロットの対応するＯＦＤＭシンボルは、同じ相対的な時間または位置を有する別のタイムスロットのＯＦＤＭシンボルを参照できる（例えば、タイムスロットのｎ番目のＯＦＤＭシンボルが対応するＯＦＤＭシンボルとなるであろう）。
【００７０】
ＤＭ−ＲＳ伝送を含むタイムスロットの識別は、例えば、１サブフレーム当たり単一のスロットがＤＭ−ＲＳ伝送を有するＯＦＤＭシンボルを含むのであれば、複数のサブフレームによって異なる。タイムスロットの識別情報は、サブフレーム内のタイムスロット（例えば、第１のタイムスロットまたは第２のタイムスロット）の数または時間位置を参照できる。例えば、第１のタイムスロットがＤＭ−ＲＳ伝送を含む、サブフレームのグループ（複数）が存在することもあり、そしてまた、第２のタイムスロットがＤＭ−ＲＳ伝送を含む、重複が可能な、サブフレームのグループ（複数）が存在することもある。例えば、データストリームは、ＯＦＤＭ伝送スケジュールにより、ＤＭ−ＲＳ伝送が（例えば、図３Ａに示すように）１または複数のサブフレームの第１のタイムスロットの単一のＯＦＤＭシンボルに組み込まれ、および（例えば、図３Ｂに示すように）１または複数のサブフレームの第２のタイムスロットの単一のＯＦＤＭシンボルに組み込まれることによって特徴付けられる。データストリームのサブフレーム（複数）は、ＤＭ−ＲＳ伝送を第１のタイムスロットに組み込むサブフレーム（複数）とＤＭ−ＲＳ伝送を第２のタイムスロットに組み込むサブフレーム（複数）とを入れ替えることができる。ＤＭ−ＲＳ伝送を第１のタイムスロットに組み込むサブフレーム（複数）は、ＤＭ−ＲＳ伝送を第２のタイムスロットに組み込むサブフレーム（複数）と等しい、それよりも多い、またはそれよりも少ない場合もある。
【００７１】
一例において、ＷＴＲＵは、割り振りと関連付けられた物理リソースブロック（複数）（ＰＲＢ（複数））に基づいてＤＭ−ＲＳ伝送を含む（および／または含まない）タイムスロットの識別情報を判定できる。従って、ＤＭ−ＲＳ伝送に使用されるタイムスロットは、ＰＲＢに基づいて異なる。例えば、ＰＲＢのセットは、第１のタイムスロットが第１のタイムスロットの適切なシンボルへのＤＭ−ＲＳ伝送を含むサブフレーム内に存在し得る。第２のタイムスロットが第２のタイムスロットの適切なシンボルへのＤＭ−ＲＳ伝送を含む、ＰＲＢの第１のセットと重複が可能な、ＰＲＢの第２のセットが存在し得る。
【００７２】
一例において、ＤＭ−ＲＳ伝送に使用されるＯＦＤＭシンボルは、タイムスロットのエッジにシフトされ得る。例えば、ＤＭ−ＲＳが第１のタイムスロットだけに送信されることになれば、第１のタイムスロットの最後のシンボルは、ＤＭ−ＲＳ伝送に使用され得る。それに対し、ＤＭ−ＲＳが第２のタイムスロットだけに送信されることになれば、第２のタイムスロットの最初のシンボルは、ＤＭ−ＲＳ伝送に使用され得る。
【００７３】
図４は、標準循環プリフィックスを用いたサブフレームのタイムスロットのエッジにシフトされ得るＤＭ−ＲＳ伝送の例示的なマッピングの図である。図４に示すように、サブフレーム４００は、２つのタイムスロットである、第１のタイムスロット４０２と第２のタイムスロット４０４を含むことができ、そしてサブフレーム４１０は、２つのタイムスロットである、第１のタイムスロット４１２と第２のタイムスロット４１４を含むことができる。サブフレーム４１０は、サブフレーム４００の後続サブフレーム（例えば、連続サブフレーム）となる。ＤＭ−ＲＳ伝送４０６は、サブフレーム４００の第１のタイムスロット４０２の、標準循環プリフィックスでは７番目のＯＦＤＭシンボル４０８などの、最後のＯＦＤＭシンボルに含まれることができ、およびＤＭ−ＲＳ伝送４０６は、サブフレーム４１０の第２のタイムスロット４１４の最初のＯＦＤＭシンボル４１８に含まれることができる。ＤＭ−ＲＳ伝送４０６は、サブフレーム４００の第２のタイムスロット４０４に存在しない、およびサブフレーム４１０の第１のタイムスロット４１２に存在しない場合もある。例えば、ＤＭ−ＲＳ伝送を含まないＯＦＤＭシンボルは、ＤＭ−ＲＳとは対照的にユーザデータおよび／または制御シグナリングを含むことができる。
【００７４】
一例において、グループは、いくつかのサブフレームがどのグループにも含まれないようにすることができ、従って、いくつかのサブフレームは、ＤＭ−ＲＳ伝送を用いずに発生できる。１または複数のサブフレームがＤＭ−ＲＳを含まない場合、ＤＭ−ＲＳをそのようなサブフレームのチャネル推定のためのサブフレームバンドリングに利用するようにネットワークを構成できる。結果として、別のサブフレームからのＤＭ−ＲＳを使用して、ＤＭ−ＲＳ伝送を含まないサブフレームのチャネルを推定することができる。従って、単一のＤＭ−ＲＳは、複数のサブフレームに適用可能となる。
【００７５】
図５は、標準循環プリフィックスを用いたサブフレームバンドリングを使用した２つのサブフレームへのＤＭ−ＲＳ伝送の例示的なマッピングの図である。図５に示すように、サブフレーム５００は、２つのタイムスロットである、第１のタイムスロット５０２と第２のタイムスロット５０４を含むことができ、そしてサブフレーム５１０は、２つのタイムスロットである、第１のタイムスロット５１２と第２のタイムスロット５１４を含むことができる。サブフレーム５１０は、サブフレーム５００の後続サブフレーム（例えば、連続サブフレーム）となる。ＤＭ−ＲＳ伝送５０６は、サブフレーム５００の第１のタイムスロット５０２の４番目のＯＦＤＭシンボル５０８のように、ＯＦＤＭシンボルに含まれることができる。サブフレーム５１０は、ＤＭ−ＲＳ伝送５０６のＤＭ−ＲＳを含むことができない。そのため、サブフレーム５００のＤＭ−ＲＳ伝送５０６を使用して、サブフレーム５１０のチャネルを推定できる。従って、単一のＤＭ−ＲＳ（例えば、サブフレーム５００の４番目のＯＦＤＭシンボル５０８に含まれるＤＭ−ＲＳ）は、複数のサブフレーム（例えば、サブフレーム５１０）に適用可能となる。サブフレーム５００の第２のタイムスロット５０４の４番目のＯＦＤＭシンボル５０８に含まれているものとして示されているが、ＤＭ−ＲＳ伝送５０６は、サブフレーム５００のタイムスロット５０２、５０４のいずれかの任意のＯＦＤＭシンボルに含まれてよい。後続サブフレームに使用されるものとして示されているが、ＤＭ−ＲＳ伝送５０６を使用して、サブフレーム５１０の前に置かれたサブフレームのチャネルを推定できる。
【００７６】
一例において、ＷＴＲＵは、ＤＭ−ＲＳ伝送がインターレースされた周波数分割多重（ＦＤＭ）を利用するように構成され得る。例えば、ＤＭ−ＲＳ伝送は、サブキャリアのサブセットを介して適切なＯＦＤＭシンボル（例えば、標準循環プリフィックスでは４番目のＯＦＤＭシンボル、拡張循環プリフィックスでは３番目のＯＦＤＭシンボル、拡張ＤＭ−ＲＳに使用されるその他のＯＦＤＭシンボルなど）に送信され得る。サブセット部分ではないサブキャリアを（例えば、ＰＵＳＣＨおよび／またはＰＵＣＣＨ経由で）ユーザデータのデータ伝送および／または他の制御チャネル伝送に使用できる。
【００７７】
例えば、ＤＭ−ＲＳは、ＰＵＳＣＨ、ＰＵＣＣＨ、および／またはその他のＵＬチャネルを用いてインターレースされ得る。例えば、所与のＯＦＤＭシンボルのサブキャリアの半分をＤＭ−ＲＳ伝送に使用できる一方、もう半分をＰＵＳＣＨに使用できる。例として、ＯＦＤＭシンボルの偶数のサブキャリアをＤＭ−ＲＳ伝送に使用できる（例えば、ＤＭ−ＲＳデータは、ＯＦＤＭシンボルの偶数のサブキャリアに対応するＲＥにマップされる）一方、奇数のサブキャリアをＰＵＳＣＨおよび／またはＰＵＣＣＨに使用でき（例えば、ＰＵＳＣＨデータは、ＯＦＤＭシンボルの奇数のサブキャリアに対応するＲＥにマップされる）、逆の場合も同じである。
【００７８】
一例において、典型的には（例えば、リリース８／１０による）所与のＯＦＤＭシンボルのＤＭ−ＲＳ伝送に利用されるサブキャリアの半分をＤＭ−ＲＳ伝送に使用できる一方、もう半分のＲＥを、例えば、ＤＭ−ＲＳオーバーヘッドを削減するために、他のタイプのデータ伝送に使用できる。一例において、典型的には（例えば、リリース８／１０による）所与のＯＦＤＭシンボルのＤＭ−ＲＳ伝送に利用されるサブキャリアの半分を超え、または半分未満をＤＭ−ＲＳ伝送に使用できる。例えば、所与のＤＭ−ＲＳ伝送に使用されるサブキャリアの総数は、ＷＴＲＵに割り当てられたサブキャリアの総数よりも少ない整数になり得る。一例において、ＤＭ−ＲＳ伝送に使用されるサブキャリアの総数は、１２の倍数を保ち、従って、レガシーのＤＭ−ＲＳ用に設計されたＺａｄｏｆｆ Ｃｈｕ（ＺＣ）シーケンスの再使用が可能となる。同様に、一部のＰＲＢがＤＭ−ＲＳ伝送を含み、そして他のＰＲＢは含まない場合、ＤＭ−ＲＳ伝送を含むＰＲＢの数は、ＤＭ−ＲＳ伝送を含まないＰＲＢの数とは異なる。
【００７９】
図６は、サブフレームの２つのタイムスロットの直交周波数分割多重（ＯＦＤＭ）シンボルのサブキャリアのサブセットへのＤＭ−ＲＳ伝送の例示的なマッピングの図である。図６に示すように、サブフレーム６００は、２つのタイムスロットである、第１のタイムスロット６０２と第２のタイムスロット６０４を含むことができる（例えば、ＰＲＢで表され得るが、そのようなサイズに限定されない）。タイムスロット６０２、６０４内のＯＦＤＭシンボルは、ＤＭ−ＲＳ伝送６２０を含むことができるが、ＤＭ−ＲＳ伝送６２０は、ＯＦＤＭシンボルのサブキャリアのサブセットに含まれることができる。例えば、サブフレーム６００の第１のタイムスロット６０２の４番目のＯＦＤＭシンボル６０６のサブキャリアのサブセットがＤＭ−ＲＳ伝送６２０を含むことができる一方、４番目のＯＦＤＭシンボル６０６の残りのサブキャリアは、ユーザデータおよび／または制御シグナリングを含むことができる。言い換えれば、４番目のＯＦＤＭシンボル６０６のＰＲＢの１または複数のＲＥがＤＭ−ＲＳを含むことができる一方、ＰＲＢの残りのＲＥは、ユーザデータおよび／または制御シグナリングを含むことができる。同様に、サブフレーム６００の第２のタイムスロット６０４の４番目のＯＦＤＭシンボル６０８のサブキャリアのサブセットがＤＭ−ＲＳ伝送６２０を含むことができる一方、４番目のＯＦＤＭシンボル６０６の残りのサブキャリアは、ユーザデータおよび／または制御シグナリングを含むことができる。例えば、ＯＦＤＭシンボル６０６およびＯＦＤＭシンボル６０８の奇数のサブキャリアがＤＭ−ＲＳ伝送６２０を含むことができる一方、ＯＦＤＭシンボル６０６およびＯＦＤＭシンボル６０８の偶数のサブキャリアは、ユーザデータおよび／または制御シグナリングを含むことができる。
【００８０】
サブフレーム６００の４番目のＯＦＤＭシンボル６０６、６０８に含まれているものとして示されているが、ＤＭ−ＲＳ伝送６２０は、サブフレーム６００のタイムスロット６０２、６０４のいずれかの任意のＯＦＤＭシンボルに含まれてよい。ＯＦＤＭシンボル６０６およびＯＦＤＭシンボル６０８の奇数のサブキャリアに含まれているものとして示されているが、ＤＭ−ＲＳ伝送６２０がＯＦＤＭシンボル６０６およびＯＦＤＭシンボル６０８の偶数のサブキャリアに含まれることができる一方、ユーザデータおよび／または制御シグナリングは、ＯＦＤＭシンボル６０６およびＯＦＤＭシンボル６０８の奇数のサブキャリアに含まれることができる。ＤＭ−ＲＳ伝送６２０を含む第１のタイムスロット６０２のＯＦＤＭシンボルは、ＤＭ−ＲＳ伝送６２０を含む第２のタイムスロット６０４のＯＦＤＭシンボルとは異なる（例えば、異なる位置）。ＤＭ−ＲＳ伝送６２０を含むＲＥの数、順序付け、および／または位置は、サブフレームのタイムスロット間、データストリームのサブフレーム間、および／またはＤＭ−ＲＳ伝送６２０と関連付けられたＰＲＢ間で異なる。
【００８１】
一例において、ＰＲＢの適切なＯＦＤＭシンボルの最初の６つのサブキャリアをＤＭ−ＲＳ伝送に使用できる一方、最後の６つのサブキャリアを（例えば、ＰＵＳＣＨおよび／またはＰＵＣＣＨ経由で）ユーザデータおよび／または制御シグナリングの伝送に使用でき、逆の場合も同じである。図７は、サブフレームの２つのタイムスロットのＯＦＤＭシンボルのサブキャリアのサブセットへのＤＭ−ＲＳ伝送の例示的なマッピングの図である。図７に示すように、第１のタイムスロット７０２のＰＲＢの、４番目のＯＦＤＭシンボル７０６などの、ＯＦＤＭシンボルの最初の６つのサブキャリアをＤＭ−ＲＳ伝送７２０に使用できる一方、ＰＲＢの最後の６つのサブキャリアを（例えば、ＰＵＳＣＨおよび／またはＰＵＣＣＨ経由で）ユーザデータおよび／または制御シグナリングの伝送に使用できる。同様に、第２のタイムスロット７０４のＰＲＢの、４番目のＯＦＤＭシンボル７０８などの、ＯＦＤＭシンボルの最初の６つのサブキャリアをＤＭ−ＲＳ伝送７２０に使用できる一方、ＰＲＢの最後の６つのサブキャリアを（例えば、ＰＵＳＣＨおよび／またはＰＵＣＣＨ経由で）ユーザデータおよび／または制御シグナリングの伝送に使用できる。サブフレーム７００の４番目のＯＦＤＭシンボル７０６、７０８に含まれているものとして示されているが、ＤＭ−ＲＳ伝送７２０は、サブフレーム７００のタイムスロット７０６、７０８のいずれかの任意のＯＦＤＭシンボルに含まれてよい。一例において、ＯＦＤＭシンボルは、サブフレーム７００のタイムスロット７０６、７０８によって異なる。
【００８２】
一例において、いくつかのタイムスロットおよび／またはサブフレームに対し、ＰＲＢのサブキャリア（例えば、ＰＲＢの全てのサブキャリア）をＰＵＳＣＨおよび／またはＰＵＣＣＨ伝送に使用できる（例えば、ＷＴＲＵは、ＰＲＢのＤＭ−ＲＳの送信を控えることができる）。所与のＰＲＢがＤＭ−ＲＳ伝送を含まなければ、ＷＴＲＵに複数のＰＲＢを割り当てることができ、その複数のＰＲＢは、（例えば、サブキャリアの１つまたは全てのサブセットへの）ＤＭ−ＲＳ伝送を含む１または複数のＰＲＢと、ＤＭ−ＲＳ伝送を含まない１または複数のＰＲＢとの組み合わせとすることができる。そのため、ＤＭ−ＲＳ伝送スケジュールは、ＤＭ−ＲＳ伝送を含まない１または複数のＰＲＢおよびＤＭ−ＲＳ伝送を含む１または複数のＰＲＢにより、ＤＭ−ＲＳ伝送を含むＰＲＢが、ＰＲＢの１または複数のＯＦＤＭシンボルの１または複数のサブキャリアへのＤＭ−ＲＳ伝送を含むことができることによって特徴付けられる。
【００８３】
インターレースされたＦＤＭが利用されると、ＯＦＤＭシンボルのＤＭ−ＲＳ部のピーク対平均電力（ＰＡＰＲ）は、ＺＣシーケンス生成により低下する。同様に、ＯＦＤＭシンボルのＰＵＳＣＨ部のＰＡＰＲは、離散フーリエ変換（ＤＦＴ）プリコーディングの使用により低下する。しかしながら、ＤＭ−ＲＳ伝送およびＰＵＳＣＨ伝送が多重化されると、（例えば、各信号が低ＰＡＰＲによって特徴付けられる）２つの信号を組み合わせて単一の信号にする結果、もはや低ＰＡＰＲによって特徴付けられない伝送が生じ得ることとなる。インターレースされたシンボルを低ＰＡＰＲ特性に保つことを保証するために、ＷＴＲＵは、それに応じてＰＵＳＣＨ  ＲＥの電力をスケールするように構成され得る。一例において、ＷＴＲＵは、インターレースされたＯＦＤＭシンボルのスケールされたＰＵＳＣＨの復調を補助するスケーリング因子を使用できる。例えば、ＷＴＲＵは、インターレースされたＯＦＤＭシンボルのスケールされたＰＵＳＣＨの復調を補助するためにそのＷＴＲＵの伝送のスケーリング値を含むことができる。一例において、ＷＴＲＵは、インターレースされたシンボルがその低ＰＡＰＲ特性を失う際にＷＴＲＵが使用できる認可されたスケール値で構成され得る。
【００８４】
一例において、時間および／または周波数多重化を組み合わせる方法を使用して、ＤＭ−ＲＳ伝送に利用されるリソースの数を減少できる。例えば、いくつかの実施形態において、１サブフレーム当たり単一のタイムスロットをＤＭ−ＲＳ伝送に使用できる。ＤＭ−ＲＳ伝送に使用されるタイムスロットの識別情報は、所与の割り振りと関連付けられたＰＲＢ（複数）に依存する。例えば、ＷＴＲＵは、ＰＲＢ（例えば、奇数のＰＲＢ）の第１のサブセットのサブフレームの第１のタイムスロットへのＤＭ−ＲＳ伝送を利用し、およびＰＲＢ（例えば、偶数のＰＲＢ）の第２のサブセットのサブフレームの第２のタイムスロットへのＤＭ−ＲＳ伝送を利用するように構成され得る。一例において、ＤＭ−ＲＳ伝送を含むＰＲＢの数は、ＤＭ−ＲＳ伝送を利用しないＰＲＢの数よりも多い、少ない、または等しい。一例において、ＷＴＲＵは、ＰＲＢの第２のサブセットの単一の（例えば、代替可能である）タイムスロットを利用し、および／またはＰＲＢの第３のサブセットのいずれかのタイムスロットへのＤＭ−ＲＳの送信を控えるために、ＰＲＢの第１のサブセットのＤＭ−ＲＳ伝送のサブフレームの２つの（例えば、両方の）タイムスロットを利用するように構成され得る。
【００８５】
一例において、ＷＴＲＵは、ＰＵＳＣＨおよび／またはＰＵＣＣＨ伝送およびＤＭ−ＲＳ伝送のインターリービングを両方のタイムスロットおよび／または各ＰＲＢに使用できる。結果として、所与のサブキャリアは、スロットまたはサブフレームの間にそのサブキャリアにマップされるＤＭ−ＲＳシンボル、スロットまたはサブフレームの間にそのサブキャリアにマップされる単一のＤＭ−ＲＳシンボル、および／またはスロットまたはサブフレームの間にそのサブキャリアにマップされる２つのＤＭ−ＲＳシンボルを全く有しない。例えば、所与のＰＲＢに対し、奇数のサブキャリアは、第１のタイムスロットの適切なシンボルへのＤＭ−ＲＳ伝送を含むことができる一方、偶数のサブキャリアは、第２のタイムスロットの適切なシンボルへのＤＭ−ＲＳ伝送を含むことができ、逆の場合も同じである。
【００８６】
インターレースされた周波数分割多重を使用して、ＤＭ−ＲＳ伝送のオーバーヘッドを削減すれば、ＤＭ−ＲＳ伝送に使用されるシーケンス（例えば、パイロットシーケンス）を変更できる。例えば、ＤＭ−ＲＳ伝送スケジュールによって所与のリソース要素にマップされるＤＭ−ＲＳシーケンスの値は、普通ならＤＭ−ＲＳがさらに送信されてリソース要素のレガシー方式に使用されるはずの値と同じになる。レガシー方式と同じシーケンスおよびリソースマッピングを使用できるが、削減方式に従っていくつかのリソース要素をＰＵＳＣＨおよび／またはＰＵＣＣＨシンボルと置換できるようにパンクチャリングを用いる。
【００８７】
別の例として、ＤＭ−ＲＳシーケンスは、ＰＵＳＣＨリソース割り振りのサブキャリアＭPUSCHSCの数よりも少ない、所与のタイムスロットＭRSSCのアップリンク（ＵＬ）ＤＭ−ＲＳが利用可能なリソース要素のシンボルの実数に基づいて算出され得る。ＤＭ−ＲＳを１つのタイムスロットに送信するために使用されるサブキャリアの総数が１２の倍数であれば、ＷＴＲＵは、レガシーのＤＭ−ＲＳ伝送に利用されるシーケンス生成方法を再使用できる。ＷＴＲＵは、許可されたＰＲＢの数および／またはＲＥの総数に対するＤＭ−ＲＳ伝送に使用されるＲＥの比に基づいて、適切なシーケンス長を判定できる。例えば、ＤＭ−ＲＳシンボルおよびＰＵＳＣＨシンボルが同じタイムスロット内に散在する、インターレースされた周波数分割多重化方式の場合、参照信号シーケンスは、例えば、（例えば、ＤＭ−ＲＳが２分の１に減る場合の）
【００８８】
【数１】
2018042258.tif 000003
【００８９】
を除き、数式に基づいて算出される。ＤＭ−ＲＳのＲＥへのマッピングを事前構成でき、および／または以前のリリースと同様の順序付けで遂行できるが、ＷＴＲＵは、スキップされるサブキャリアがＤＭ−ＲＳ伝送に使用されなければ、いくつかのサブキャリアをスキップするように構成され得る。リソース要素へのマッピングは、例えば、ＤＭ−ＲＳに指定されたリソース要素内で、サブキャリアが１番目でタイムスロットが２番目の順序による、レガシー方式と同じルールに従ってもよい。
【００９０】
ＤＭ−ＲＳを１つのシンボルに送信するために使用されるサブキャリアの数が１２の倍数ではない場合、シーケンス（例えば、新しシーケンス）がＺＣシーケンスと同様のプロパティを満たすことが判定され得る。
【００９１】
１サブキャリア当たり単一のＯＦＤＭシンボル（例えば、および／または単一のタイムスロット）がＤＭ−ＲＳ伝送に使用される場合、ＤＭ−ＲＳ伝送に使用されるシンボル（および／またはタイムスロット）の識別情報は、時間にわたって（例えば、スロット番号、サブフレーム番号、システムフレーム番号（ＳＦＮ）などの関数として）および／または周波数にわたって（例えば、サブキャリア番号の関数として、ＰＲＢの関数などとして）変化する。シーケンスＭRSSCのサイズは、ＭPUSCHSCと同じサイズを保持する。リソース要素へのマッピングは、例えば、タイムスロットが１番目でサブキャリアが２番目の順序にできるように変更され得る。ＤＭ−ＲＳ伝送が第１のタイムスロットの適切なシンボルの偶数のサブキャリアに含まれ、およびＤＭ−ＲＳ伝送が第２のタイムスロットの適切なシンボルの奇数のサブキャリアに含まれる事例の場合、単一長１２＊ＮＺＣシーケンス（例えば、ＮはＰＲＢの総数）のマッピングをサブキャリアに順次行うことができる。従って、ＺＣシーケンスの１番目のシンボルを第１のタイムスロットの第１のサブキャリアに配置することができる。ＺＣシーケンスの２番目のシンボルを第２のタイムスロットの第２のサブキャリアに配置することができる。ＺＣシーケンスの３番目のシンボルを第１のタイムスロットの第３のサブキャリアに配置することができ、そしてＺＣシーケンスの４番目のシンボルを第２のタイムスロットの第４のサブキャリアに配置するなどができる。このようなマッピングアプローチは、隣接するサブキャリアのグループが同じタイムスロットへのＤＭ−ＲＳ伝送（複数）を有する場合でも適用可能となる。例えば、サブキャリア０、１、２は、第１のタイムスロットにＤＭ−ＲＳデータを有することができる一方、サブキャリア３、４、５は、第２のタイムスロットにＤＭ−ＲＳデータを有することなどができる。
【００９２】
一例において、ＷＴＲＵは、ネットワークによっていくつかのタイプのＤＭ−ＲＳ伝送スケジュールを利用するように構成されるおよび／またはトリガされることができる。例えば、ＷＴＲＵは、スモールセルおよび／またはマクロセルの検出および／またはそれらのセルへの移動に基づいてトリガされ得る。ＷＴＲＵは、ネットワークから受信された明示的シグナリング（例えば、無線リソース制御（ＲＲＣ）シグナリング）に基づいていくつかのＤＭ−ＲＳ伝送スケジュールを利用するように構成され得る。例えば、ネットワークは、ＷＴＲＵにＤＭ−ＲＳ伝送のより多いまたはより少ないリソース要素を充てるおよび／またはＤＭ−ＲＳ伝送に使用されるリソース要素の識別情報を変更するように構成できる。ＷＴＲＵが自身のＤＭ−ＲＳ伝送スケジュールを変更することをトリガする以下の方法のうちの１または複数は、任意の組み合わせにおいて使用されてよい。
【００９３】
一例において、上位レイヤシグナリング（例えば、媒体アクセス制御（ＭＡＣ）および／またはＲＲＣシグナリング）は、ＷＴＲＵによって使用されることになるＤＭ−ＲＳ伝送スケジュールを半静的（semi-statically）に示すことができる。一例において、メッセージは、単一ビットを使用して、レガシーの（例えば、リリース８、リリース１０など）ＤＭ−ＲＳ伝送スケジュールを使用するか、または削減されたオーバーヘッドによって（例えば、ＤＭ−ＲＳの削減によって）特徴付けられたＤＭ−ＲＳ伝送スケジュールを使用するかどうかを示すことができる。削減されたオーバーヘッドによって特徴付けられたＤＭ−ＲＳ伝送スケジュールは、ＤＭ−ＲＳ伝送（複数）に使用されるＲＥの数を削減するスケジュールにすることができる。削減されたオーバーヘッドによって特徴付けられたＤＭ−ＲＳ伝送スケジュールのパラメータは、セルの物理セル識別子（ＰＣＩ）に結合またはリンクされ得る。例えば、スモールセルは、削減されたオーバーヘッドによって特徴付けられたＤＭ−ＲＳ伝送スケジュールにリンクされたＰＣＩと関連付けることができ、マクロセルは、レガシーのＤＭ−ＲＳ伝送スケジュールにリンクされたＰＣＩと関連付けることができる。
【００９４】
上位レイヤシグナリングは、ＤＭ−ＲＳ伝送スケジュール（例えば、削減されたＤＭ−ＲＳ伝送スケジュールが使用されることになるかどうか、ＤＭ−ＲＳ伝送に使用するスロットおよび／またはサブキャリアの識別情報の表示など）を示すことができる。一例において、ＲＲＣを利用して、複数のＤＭ−ＲＳ伝送スケジュール、例えば、標準のＤＭ−ＲＳ伝送スケジュールおよびリソースを節約した（resource-saving）ＤＭ−ＲＳ伝送を提供できる。動的シグナリング（例えば、物理ダウンリンク制御チャネル（ＰＤＣＣＨ）経由で受信される許可、ＰＤＣＣＨ命令、および／またはＭＡＣ制御要素（ＣＥ）などの、レイヤ１（Ｌ１）シグナリング）を使用して、例えば、１ＵＬ伝送当たりに使用するＤＭ−ＲＳ伝送スケジュールを示すことができる。
【００９５】
削減されたオーバーヘッドによって特徴付けられたＤＭ−ＲＳ伝送スケジュールが（例えば、使用される事前構成されたＤＭ−ＲＳパラメータ設定の表示を送信することによって）動的に表示されることになれば、その構成をさまざまな方法で遂行できる。例えば、ＵＬ許可に含まれるダウンリンク制御情報（ＤＣＩ）（例えば、ＤＣＩフォーマット０、ＤＣＩフォーマット４、新しいＤＣＩフォーマットなど）は、使用されるパラメータの事前構成された設定の識別情報を示すビット（複数）（例えば、新しいビット（複数））を含むことができる。一例において、削減されたオーバーヘッドによって特徴付けられたＤＭ−ＲＳ伝送スケジュールの構成は、ＰＣＩおよび／または仮想セル識別子（ＶＣＩＤ）にリンクまたは結合され、そして例えば、ＶＣＩＤ構成によって暗黙的に示されることができる。
【００９６】
一例において、ＤＭ−ＲＳ伝送スケジュールは、アップリンク許可と関連付けられたプロパティまたはパラメータに基づいて暗黙的に示すことができる。例えば、ＷＴＲＵは、割り振りサイズ、変調符号化方式（ＭＣＳ）レベル、サブフレーム番号、フレーム番号、伝送モード、許可が半永続的スケジューリング（ＳＰＳ）と関連付けられているか否か、などの１または複数に基づいて、適切なＤＭ−ＲＳ伝送スケジュールを判定するように構成され得る。一例において、ＤＣＩフォーマット（例えば、新しいＤＣＩフォーマット）をＤＭ−ＲＳ伝送スケジュール（複数）の特定のセットに使用されるように設計できる。一例において、適切なＤＭ−ＲＳ伝送スケジュールをリンクまたは結合して、ＵＬ許可がＰＤＣＣＨ内のＷＴＲＵ固有のサーチ空間または共通のサーチ空間で受信されたかどうかを示すことができる。一例において、ＤＭ−ＲＳ伝送スケジュール（複数）をいくつかのコンポーネントキャリアに結合またはリンクできる。従って、ＷＴＲＵは、ＵＬ許可に含まれるキャリアインジケータフィールド（ＣＩＦ）に基づいてＤＭ−ＲＳ伝送スケジュールを利用するように暗黙的トリガされ得る。
【００９７】
ＷＴＲＵは、リソース要素および／またはシンボルの同じセットでＰＵＳＣＨおよび／またはＰＵＣＣＨ（例えば、および／またはその他のＵＬチャネルおよび／または信号）と、ＤＭ−ＲＳ伝送を送信するように構成され得る。例えば、ＤＭ−ＲＳ伝送およびＰＵＳＣＨ伝送は、時間領域において（例えば、ＯＦＤＭシンボルのＲＥは、ＤＭ−ＲＳ伝送データとＰＵＳＣＨ伝送データの両方を含むことができる）、周波数領域において（例えば、サブキャリアおよび／またはＰＲＢ内のＲＥは、ＤＭ−ＲＳ伝送データとＰＵＳＣＨ伝送データの両方を含むことができる）、および／または時間領域と周波数領域の両方において（例えば、ＲＥは、例えば、異なるカバーコードなどで区分された、異なる伝送レイヤにＤＭ−ＲＳ伝送データとＰＵＳＣＨ伝送データの両方を含むことができる）同じリソースを占有できる。ＤＭ−ＲＳ伝送およびＰＵＳＣＨ伝送が同じリソースを占有することになれば、ＷＴＲＵは、自身の送信電力の半分をＤＭ−ＲＳ伝送に割り振り、半分をＰＵＳＣＨ伝送に（例えば、他のＵＬチャネル（複数）および／または信号（複数）の伝送に）割り振ることができる。
【００９８】
復調を促進するために、ＷＴＲＵは、例えば、伝送が同じＲＥを占有することになれば、ＤＭ−ＲＳ伝送をＰＵＳＣＨ伝送と区分することを可能にする、直交カバーコード（ＯＣＣ）を利用するように構成され得る。例えば、ＷＴＲＵは、ＤＭ−ＲＳに使用される２つの時間シンボルで同じデータシンボル（例えば、ＰＵＳＣＨ伝送）を反復するように構成され得る。ＤＭ−ＲＳシンボルの適切なＯＣＣプリコーディング（例えば、［１  １］）および／またはＰＵＳＣＨシンボルの適切なＯＣＣプリコーディング（例えば、［１  −１］）の使用により、ｅＮＢにおいて正しい復調を可能にできる。このような符号化技術は、本明細書に記載のＤＭ−ＲＳ伝送スケジュールの例と併せて使用できる。
【００９９】
ＰＵＳＣＨ（例えば、および／またはＰＵＣＣＨ）とＤＭ−ＲＳ伝送が衝突する（例えば、１サブフレーム当たり単一のシンボルをＤＭ−ＲＳ伝送に使用するなどの）一例において、ＤＭ−ＲＳ伝送（複数）と衝突するＲＥにマップされることになるＰＵＳＣＨデータは、例えば、同じシンボルのＤＭ−ＲＳと衝突する他のＲＥに複製され得る。例えば、ＤＭ−ＲＳ伝送に使用されるＲＥにマップされることになるＰＵＳＣＨデータは、成功する受信の尤度を増やすために（例えば、少なくとも２つのＲＥは、関連のあるＰＵＳＣＨデータのコピーを含むように）１または複数の付加的ＲＥに送信され得る。例えば、ＰＵＳＣＨデータがＤＭ−ＲＳ伝送によって送信される時に２つのＲＥにおいて複製されると、同じＤＭ−ＲＳ伝送もその同じＲＥペアにおいて複製され得る。このようなアプローチが利用されるのであれば、ＯＣＣは、シンボルよりはむしろサブキャリアに適用され得る。例えば、ＤＭ−ＲＳ伝送のデータは、第１のタイムスロットのシンボル４にマップされ、そしてサブキャリア０、２、４、６、８、１０にマップされ得る。このような場合、サブキャリア０、２、および４のＰＵＳＣＨをサブキャリア６、８、および１０に複製できる。さらに、サブキャリア０、２、および４に送信されるＤＭ−ＲＳデータをサブキャリア６、８、および１０に複製できる。ＯＣＣの値［ａ  ｂ］がＰＵＳＣＨに使用され、そしてＯＣＣの値［ｃ  ｄ］がＤＭ−ＲＳ伝送に使用されると、ａ、ｂ、ｃ、および／またはｄの値を選択して符号多重化を促進できる。例えば、サブキャリア０、２、および４へのＰＵＳＣＨ伝送は、‘ａ’で多重化される一方、サブキャリア６、８、および１０へのＰＵＳＣＨ伝送は、‘ｂ’で多重化され得る。サブキャリア０、２、および４へのＤＭ−ＲＳ伝送は、‘ｃ’で多重化され、そしてサブキャリア６、８、および１０へのＤＭ−ＲＳ伝送は、‘ｄ’で多重化され得る。
【０１００】
一例において、ＷＴＲＵは、保存されたトーン（tone）を使用してＰＵＳＣＨ伝送（例えば、および／またはＰＵＣＣＨ伝送）をＤＭ−ＲＳ伝送にインターレースするように構成され得る。例えば、ＰＵＳＣＨまたは他のデータが１つのシンボル内の異なるサブキャリアを介してＤＭ−ＲＳ伝送にインターレースされると、ＰＵＳＣＨデータは、ＰＡＰＲを削減するＤＦＴの出力として作成され、そしてＤＭ−ＲＳ伝送をＰＡＰＲも削減するＺＣシーケンスにすることができる。ＤＭ−ＲＳ伝送およびＰＵＳＣＨ伝送を１つの時間シンボルにインターレースすることは、シンボル全体のＰＡＰＲプロパティに影響を与える。一例において、ＯＦＤＭシンボル全体の最大ピークを下げるために、トーン保存を使用できる。例えば、１つのＯＦＤＭシンボル（標準循環プリフィックスの場合、第１のタイムスロットの４番目のシンボル）において、一部のサブキャリアをＤＭ−ＲＳ伝送に使用でき、他のサブキャリアをＰＵＳＣＨ伝送に使用でき、そして他のサブキャリアを保存されたトーンに使用できる。保存されたトーンをＯＦＤＭシンボル全体の最大ピークが抑圧されるような方法で変調でき、それによって電力増幅器のバックオフを減少させることができる。
【０１０１】
例として、ＷＴＲＵは、ＤＭ−ＲＳ伝送ＲＥ、ＰＵＳＣＨ伝送ＲＥ（例えば、および／またはＰＵＣＣＨ伝送ＲＥ）と保存されたトーンとの間の３つのサブキャリアの間隔（spacing）で構成され得る。異なるサブキャリアのシフトは、例えば、伝送が衝突しないことを保証するために、ＤＭ−ＲＳ伝送、ＰＵＳＣＨ伝送、および保存されたトーン伝送のうちの１または複数に適用可能にすることができる。例えば、ＤＭ−ＲＳ伝送は、適切なＯＦＤＭシンボルのサブキャリア（例えば、サブキャリア０、３、６、９）の第１のサブセットにマップされ、ＰＵＳＣＨ伝送は、同じＯＦＤＭシンボルのサブキャリア（例えば、サブキャリア１、４、７、１０）の第２のサブセットにマップされ、そして残りのサブキャリア（例えば、２、５、８、１１）は、ＯＦＤＭシンボルのより大きいピークを下げるように構成されたトーンのために保存され得る。
【０１０２】
一例において、ＤＭ−ＲＳ伝送、ＰＵＳＣＨ伝送、および保存されたトーンの伝送のうちの１または複数は、ＰＲＢのそれぞれの（例えば、重複が可能な）セットの一部または全てのサブキャリア、例えば、１つのＰＲＢ内のサブキャリアのうちの１または複数を使用するように構成され得る。一例において、ＤＭ−ＲＳ伝送に使用されるＲＥの総数、ＰＵＳＣＨ伝送に使用されるＲＥの総数、および／または保存されたトーン伝送に使用されるＲＥの総数は、ＯＦＤＭシンボル固有および／またはＰＲＢ固有にすることができ、および／または異なる目的に使用されるＲＥの比は、時間および／または周波数にわたって変化する。例えば、ＷＴＲＵは、ＤＭ−ＲＳ伝送、ＰＵＳＣＨ伝送、および／または保存されたトーン伝送に使用するＲＥサブセットで構成され得る。サブセットは、可能なＲＥサブセットのテーブルにマップされるビットマップおよび／またはビットストリームを使用して、明示的に構成され得る。一例において、（例えば、ＤＭ−ＲＳ伝送、ＰＵＳＣＨ伝送、および／または保存されたトーン伝送用の）ＲＥサブセットは、構成パラメータから取得できる。このような構成パラメータは、ＲＥ周期性および／またはサブキャリアシフトを含むことができる。
【０１０３】
一例において、ＷＴＲＵは、ユーザデータ（例えば、ＰＵＳＣＨデータ）を用いて１または複数の参照信号（例えば、ＤＭ−ＲＳ）をプリコードするように構成され得る。ＳＣ−ＦＤＭＡを使用して、例えば、ＬＴＥのＵＬ伝送において、ＰＡＰＲを最小にできる。一例において、インターレースされたＰＵＳＣＨおよびＤＭ−ＲＳシンボルは、ＳＣ−ＦＤＭＡ信号ジェネレータに入力され、例えば、相対的に低いＰＡＰＲを維持する間にＤＭ−ＲＳ伝送と関連付けられたオーバーヘッドを削減することができる1。ＳＣ−ＦＤＭＡ信号ジェネレータへの入力を形成するビットストリームは、ＰＵＳＣＨおよびＤＭ−ＲＳ変調シンボルの変更を含むことができる。一例において、ＳＣ−ＦＤＭＡ信号ジェネレータへの入力を形成するビットストリームは、（例えば、ＯＦＤＭシンボル、スロット、サブフレームなどに）送信されることになるＤＭ−ＲＳ変調信号と、その後に続いて送信されることになるＰＵＳＣＨ変調信号を含むことができる（例えば、逆の場合も同じである）。ＤＦＴの出力は、適切なＯＦＤＭシンボル（例えば、標準循環プリフィックスでは第１および／または第２のタイムスロットの４番目のＯＦＤＭシンボル）に適用され得る。この場合、ＲＳは、ＺＣシーケンスとは異なる場合もある。例えば、セルのＰＣＩおよび／またはＶＣＩＤに基づいて初期化されるゴールドシーケンスを使用できる。
【０１０４】
ＤＭ−ＲＳのオーバーヘッドを削減するために、ＷＴＲＵは、ＤＭ−ＲＳ伝送を用いずにＵＬ伝送（複数）を遂行するように構成され得る。ＤＭ−ＲＳの欠如を補償するために、ＷＴＲＵは、ＤＭ−ＲＳフリーのＰＵＳＣＨ伝送が発生するサブフレームにプリコードされたサウンディング参照信号（ＳＲＳ）および／またはプリコードされていないＳＲＳを送信するように構成され得る。ＳＲＳのプリコーディングは、例えば、ＬＴＥにおけるアップリンクプリコーダ行列がネットワークによって選択されるおよび／またはアップリンクスケジューリング許可によってＷＴＲＵに提供されるのであれば、省略できる。
【０１０５】
ＤＭ−ＲＳフリー伝送（複数）をＷＴＲＵに構成するために、ＳＲＳリクエストフィールドを使用して、ＷＴＲＵがＤＭ−ＲＳフリー伝送を遂行しなければならないことを示すことができる。例えば、ＷＴＲＵは、上位レイヤによって構成されるＳＲＳリクエスト用のＳＲＳパラメータ設定のうちの１つがＳＲＳを用いたＤＭ−ＲＳフリーのＰＵＳＣＨ伝送に対応するように構成され得る。例えば、ＳＲＳリクエストフィールド値‘１１’は、ＷＴＲＵがＤＭ−ＲＳフリーのＰＵＳＣＨを用いて非周期的ＳＲＳを送信するように構成できる。一例において、ＷＴＲＵをＤＭ−ＲＳフリーのＰＵＳＣＨで構成するために、ネットワークは、ＤＣＩフォーマット４および／または他のＤＣＩフォーマットのＵＬプリコーディング情報に使用される保存されたビットフィールドのうちの１つを使用できる。ＵＬプリコーディング情報フィールドに対応するビットは、特定のプリコーダ行列ならびにＤＭ−ＲＳフリーのＰＵＳＣＨ伝送の使用を示すことができる。例として、１つのコードワードを有する２つのアンテナポートの場合、ビットフィールド６と７は、ＴＰＭＩ（Transmitted Precoding Matrix Indicator）＝０とＴＰＭＩ＝１（例えば、または上位レイヤに構成されたおよび／または事前構成されたその他のＴＰＭＩ値）を有する、１つのレイヤのＤＭ−ＲＳフリー伝送に使用され得る。２つのコードワードを有する２つのアンテナポートの場合、ＴＰＭＩ＝０を有するビットフィールド１を使用して、２つのレイヤのＤＭ−ＲＳフリー伝送を示すことができる。１つのコードワードを有する４つのアンテナポートの場合、（例えば、上位レイヤによって事前構成されたまたは構成されたいずれかの）利用可能なＴＰＭＩのサブセットを有するビットフィールド４０−６３は、１または２つのレイヤのＤＭ−ＲＳフリー伝送に再使用され得る。２つのコードワードを有する４つのアンテナポートの場合、（例えば、上位レイヤシグナリングによって事前構成されたおよび／または構成されたいずれかの）利用可能な任意のＴＰＭＩを有するビットフィールド２９−６３は、２、３、および／または４つのレイヤのＤＭ−ＲＳフリー伝送に再使用され得る。
【０１０６】
一例において、ＷＴＲＵは、例えば、レガシーのＤＭ−ＲＳ伝送スケジュール（複数）および／または１または複数の削減されたＤＭ−ＲＳ伝送スケジュール（複数）を含むことができる、ＤＭ−ＲＳ伝送スケジュールの任意の数を使用してＵＬデータを送信することができる。１または複数のサブフレームにおいて、ＷＴＲＵは、レガシーのＤＭ−ＲＳ伝送スケジュールを使用できる一方、サブフレーム別のサブセットにおいてＷＴＲＵは、ＤＭ−ＲＳをサブフレームの単一のタイムスロットに送信することができる。ＷＴＲＵは、サブフレームのサブセットのうちの１または複数に対し、ＷＴＲＵが異なるＤＭ−ＲＳ伝送スケジュールを使用できる場合、例えばＲＲＣシグナリングを介して、サブフレームのサブセットで半静的に構成され得る。例えば、２以上のＤＭ−ＲＳ伝送スケジュールは、第１のＤＭ−ＲＳ伝送スケジュールによってＤＭ−ＲＳが第１のスロットに送信され、そして第２のＤＭ−ＲＳ伝送スケジュールによってＤＭ−ＲＳが第２のスロットに送信されることを定義できる。ＷＴＲＵは、第１のＤＭ−ＲＳ伝送スケジュールを偶数のサブフレームに送信し、そして第２のＤＭ−ＲＳ伝送スケジュールを奇数のサブフレームに送信して、例えば、２つのＵＬ伝送が連続サブフレームで発生する時のチャネル推定の品質を高めることができる。一例において、ＷＴＲＵは、上位レベルのシグナリングを介して、インデックスとともに（例えば、各伝送スケジュールがインデックスを有して）ＤＭ−ＲＳ伝送スケジュールのうちの１または複数により構成され得る。ＷＴＲＵは、サブフレーム（例えば、各サブフレーム）にＵＬ許可ＤＣＩの対応するインデックスを付加することによる適切なＤＭ−ＲＳ伝送スケジュールで（動的に）構成され得る。一例において、ＷＴＲＵは、レガシーのＤＭ−ＲＳ伝送スケジュール（複数）ならびに削減されたオーバーヘッドによって特徴付けられたＤＭ−ＲＳ伝送スケジュール（複数）で構成され得る。１または複数のビットは、ＵＬ許可に含まれ、そしてＤＭ−ＲＳ伝送スケジュール（複数）をトリガするために使用され得る。ビットの不在および／またはビットの所定の値（例えば、０または１）は、ＷＴＲＵにレガシーのＤＭ−ＲＳ伝送スケジュールを使用させることができる。
【０１０７】
ＤＭ−ＲＳ伝送スケジュールを切り替えるルールが存在し得る。ＷＴＲＵは、異なるＤＭ−ＲＳ伝送スケジュール間で切り替える（例えば、動的に切り替える）ように構成され得る。例えば、ＨＡＲＱ−ＡＣＫ、ＲＩ、および／またはＣＱＩ／ＰＭＩがＰＵＳＣＨに送信されるサブフレームは、第１のＤＭ−ＲＳ伝送スケジュールを使用できる。それに対し、データ（例えば、データのみ）が送信されるサブフレームは、第２のＤＭ−ＲＳ伝送スケジュールを使用できる。ＤＭ−ＲＳ伝送スケジュールは、伝送レイヤの数に基づいて（例えば、暗黙的に）判定され得る。ＤＭ−ＲＳ伝送スケジュールは、ＤＭ−ＲＳに使用されるＯＣＣに基づいて（例えば、暗黙的に）判定され得る。ＤＭ−ＲＳ伝送スケジュールは、ＤＭ−ＲＳに使用される仮想セルＩＤに基づいて（例えば、暗黙的に）判定され得る。ＤＭ−ＲＳ伝送スケジュールは、ＤＭ−ＲＳに使用されるシーケンスおよび／または循環シフトに基づいて（例えば、暗黙的に）判定され得る。
【０１０８】
使用されることになるＤＭ−ＲＳ伝送スケジュールは、フレーム、サブフレーム、および／またはタイムスロットの番号の関数にすることができる。ＷＴＲＵは、（例えば、各々の）ＤＭ−ＲＳ伝送スケジュール、例えば、半永続的スケジューリングのサブフレームのセットで構成され得る。ＷＴＲＵは、以前に使用されたＤＭ−ＲＳ伝送スケジュールに基づいてＤＭ−ＲＳ伝送スケジュールを判定できる。例えば、第１のサブフレームが第１のＤＭ−ＲＳ伝送スケジュールを使用すると、次にスケジュールされるサブフレームは、例えば、事前構成された順序付けで、異なるＤＭ−ＲＳ伝送スケジュールに切り替えることができる。ＷＴＲＵは、例えば、事前構成された順序付けで、再伝送毎にＤＭ−ＲＳ伝送スケジュールを切り替えるように構成され得る。
【０１０９】
ＤＣＩを使用して、スケジュールされた許可によって使用されるＤＭ−ＲＳ伝送スケジュールを判定できる。使用されるＤＣＩフォーマットは、ＤＭ−ＲＳ伝送スケジュールのＷＴＲＵを構成できる。ＤＣＩのプリコーディング情報フィールドの値は、どんなＤＭ−ＲＳ伝送スケジュールを使用するかをＷＴＲＵに示すことができる。ＷＴＲＵは、レイヤの数に基づいて異なるＤＭ−ＲＳ伝送スケジュールを使用するように構成され得る。特定の数のレイヤのアップリンク許可が復号されると、ＷＴＲＵは、適切なＤＭ−ＲＳ伝送スケジュールを判定できる。
【０１１０】
一例において、トランスポートブロックサイズを示すことができる。ＷＴＲＵが削減されたオーバーヘッドによって特徴付けられたＤＭ−ＲＳ伝送スケジュールを使用するサブフレームにおいて、トランスポートブロックサイズの判定は、ＷＴＲＵがレガシーのＤＭ−ＲＳ伝送スケジュールを使用する場合とは異なる。ＵＬ許可に含まれる変調符号化方式（ＭＣＳ）は、トランスポートブロックサイズ（ＴＢＳ）への異なるマッピングを有することができる。ＷＴＲＵは、ＤＭ−ＲＳサブフレームに対してＭＣＳ対ＴＢＳマッピングテーブル（例えば、新しいＭＣＳ対ＴＢＳマッピングテーブル）で構成され得る。このテーブルは、ＤＭ−ＲＳオーバーヘッドの削減を考慮することができる。ＷＴＲＵは、半静的にまたは動的に取得されることができたＤＭ−ＲＳ伝送スケジュールを用いて、使用する適切なＭＣＳ対ＴＢＳマッピングテーブルを判定することができる。
【０１１１】
別の一例において、ＵＬ許可に含まれるＭＣＳインデックスは、使用され得るＴＢＳテーブルに暗示的に示すことができる。ＷＴＲＵは、ＭＣＳインデックスに基づいて使用され得るＤＭ−ＲＳ伝送スケジュールのタイプを判定できる。ＭＣＳインデックスのサブセットは、ＤＭ−ＲＳサブフレームのタイプと関連付けることができる。ＷＴＲＵは、上位レイヤ経由で、ＭＣＳの値間のマッピング、および／またはＤＭ−ＲＳのタイプで構成され得る。例えば、ＷＴＲＵは、ＭＣＳインデックスのリストで構成され得る。このようなＭＣＳインデックスは、ＤＭ−ＲＳ伝送スケジュール（複数）（例えば、削減されたオーバーヘッドによって特徴付けられたＤＭ−ＲＳ伝送スケジュール）にマップすることができ、そして他のＭＣＳインデックスは、ＤＭ−ＲＳ伝送スケジュール（複数）（例えば、レガシーのＤＭ−ＲＳ伝送スケジュール（複数））にマップすることができる。
【０１１２】
ＤＭ−ＲＳ伝送スケジュール（複数）に使用され得るＭＣＳ対ＴＢＳテーブルを明示的に定義し、ＷＴＲＵに予め構成することができる。一例において、ＴＢＳ値は、レガシーのＭＣＳ対ＴＢＳテーブルの関数として判定され得る。例えば、削減されたオーバーヘッドによって特徴付けられたＤＭ−ＲＳ伝送スケジュール（複数）は、ＤＭ−ＲＳを１つのタイムスロットに送信することによって取得されると、そのオーバーヘッドの削減は、１ＰＲＢ当たり１２ＲＥ（例えば、１／１４の削減）となる。ＭＣＳインデックスを受信すると、ＷＴＲＵは、レガシーのＤＭ−ＲＳ伝送スケジュール用に構成されたテーブルを検査すること、ＴＢＳ値に予め構成された値、例えば、
【０１１３】
【数２】
2018042258.tif 000004
【０１１４】
を掛けることによって、床関数、例えば、
【０１１５】
【数３】
2018042258.tif 000005
【０１１６】
を用いて、ＴＢＳの判定を行うことができる。ここで、ＴＢＳは、ＭＣＳ値から取得される。一例において、単一のタイムスロットに配置されたＤＭ−ＲＳのオーバーヘッドの節約が１４ＰＲＢにつき１余剰ＰＲＢの利得と同等であれば、その節約を考慮して変換を遂行できる。例えば、１４ＰＲＢ毎の割り当ては、１５ＰＲＢにつき１ＴＢＳにマップできる。調整は１４の倍数でない割り当てに付加される。ＴＢＳは、ＭＣＳとＰＲＢの数から判定され、ＰＲＢの数は、例えば、
【０１１７】
【数４】
2018042258.tif 000006
【０１１８】
のように割り振られる。ここで、関数ｆは、事前構成されたマッピングテーブルの適切なロケーションであり、デルタは、事前構成された値である。
【０１１９】
一例において、ＤＭ−ＲＳ伝送スケジュール（複数）は、ＰＵＳＣＨの再伝送用に構成され得る。ＷＴＲＵは、複数のＤＭ−ＲＳ伝送スケジュールの使用をサポートできる。ＤＭ−ＲＳ伝送スケジュールのタイプは、頻繁に変更し得る。この変更は、ＷＴＲＵが伝送を行った後であるが、ＷＴＲＵが再伝送する前に発生し得る。それにより、この状況においてＷＴＲＵが使用することが期待されるＤＭ−ＲＳ伝送スケジュールのタイプは、曖昧となる。一例において、ＷＴＲＵがＰＨＩＣＨのＮＡＣＫ経由で、ＷＴＲＵがトランスポートブロックを再送信しなければならないことを示された場合、ＷＴＲＵは、以前の伝送に使用されたものと同じＤＭ−ＲＳ伝送スケジュールを再使用すると見なされ、そのサブフレームのＤＭ−ＲＳ伝送スケジュールをオーバーライドする場合がある。
【０１２０】
別の一例において、ＷＴＲＵは、再伝送を要求したＰＤＣＣＨのＵＬ許可を、例えば、データインジケータの適切なトグル(toggle)によって提供され得る。ＷＴＲＵに、ＭＣＳインデックスの冗長バージョン経由で送信することが期待されることを示すことができる。異なる冗長バージョンにマップするＭＣＳインデックスは、異なるグループに区分され得る。グループ（複数）のうちの１または複数（例えば、各グループ）は、異なるＤＭ−ＲＳ伝送スケジュールにマップできる。ＷＴＲＵは、例えば、このマッピングから、再伝送に使用する適切なＭＣＳ／ＴＢＳならびに適切な冗長バージョンを推測するまたは判定することを可能にできる。
【０１２１】
一例において、ＷＴＲＵは、再伝送サブフレーム用に構成されたＤＭ−ＲＳ伝送スケジュールと、再伝送に使用する適切なＭＣＳ／ＴＢＳを判定するためにシグナルされた冗長バージョンとの組み合わせを使用できる。冗長バージョンにマップされるＭＣＳインデックスのうちの１または複数（例えば、各ＭＣＳインデックス）は、多様な意味を有し、再伝送サブフレーム用に構成されたＤＭ−ＲＳ伝送スケジュールに応じて異なる。
【０１２２】
一例において、再伝送を示すＵＬ許可の場合、ＷＴＲＵは、冗長バージョンにマップされないＭＣＳインデックス（例えば、新しいＭＣＳインデックス）が提供され得る。このＭＣＳインデックスの存在は、ＤＭ−ＲＳ伝送スケジュール（例えば、削減されたオーバーヘッドによって特徴付けられたＤＭ−ＲＳ伝送スケジュール）を再伝送サブフレームにおいて使用できることをＷＴＲＵに暗示的に示すことができる。この存在は、例えば、ＤＭ−ＲＳ伝送スケジュールに基づく適切なＴＢＳマッピングルールを使用して、使用するＭＣＳ／ＴＢＳをＷＴＲＵに示すことができる。異なる冗長バージョンを可能にするために、ＷＴＲＵは、ＤＭ−ＲＳ伝送スケジュールが変わり、そしてＭＣＳが冗長バージョンの表示に使用されない場合に使用される冗長バージョンの順に構成され得る。
【０１２３】
一例において、ビットフラグは、再伝送のＵＬ許可に含まれ、使用され得るＤＭ−ＲＳ伝送スケジュールのタイプを示すことができる。この表示（例えば、冗長バージョンをトリガできる、ＭＣＳインデックスとの組み合わせにおいて）ＷＴＲＵに冗長バージョンならびに適切なＭＣＳ／ＴＢＳを判定させることができる。
【０１２４】
１または複数の実施形態は、ＤＭ−ＲＳシーケンス生成を企図する。実施形態は、ＤＭ−ＲＳシーケンス生成（例えば、ＤＭ−ＲＳ伝送スケジュール（複数）の判定）に使用され得るシーケンスグループ番号が、理由の中でもとりわけ、１サブフレーム当たり単一のＤＭ−ＲＳが存在するならば、もはやタイムスロットの関数とならないことを認識する。いくつかの実施形態において、シーケンスグループ番号ｕは、
Ｕ＝（ｆgh（ｎ）＋ｆss）ｍｏｄ３０
と定義され、ここでｎ＝ｉ−１は、例えば、理由の中でもとりわけ、削減されたＤＭ−ＲＳ伝送スケジュール（複数）の無線フレームへのｉ番目のＤＭ−ＲＳ伝送に対する。例えば、ＷＴＲＵは、１または複数、または各々の、サブフレームが第１のタイムスロットに配置された単一のＤＭ−ＲＳを有することができる無線フレームで構成されることができ、ｎは、
ｎ＝ＳＦＮｍｏｄ１０
と定義され、ここでＳＦＮは、サブフレーム番号である。ｎの値は、例えば、理由の中でもとりわけ、シーケンスホッピングおよび／または循環シフトホッピングのレガシー形態（formulation）をスロット番号に置き換えるために再使用され得る。
【０１２５】
シーケンスグループホッピング、シーケンスホッピング、および／または循環シフトホッピングを、サブフレームを介して遂行することができ、および／またはホッピング値は、例えば、シナリオの中でもとりわけ、シーケンス（例えば、単一のシーケンス）を複数のシンボルに拡散することができる（例えば、単一のＤＭ−ＲＳの一部分を第１のタイムスロット内に、一部分を第２のタイムスロット内に入れるハイブリッド方法）ＤＭ−ＲＳ伝送スケジュール用のタイムスロットのペアに対して一定に保つことができる。
【０１２６】
ｎのどんな値をＵＬ許可に使用できるかをＷＴＲＵに示す（例えば、明示的に示す）ことができる。シーケンスグループホッピング、シーケンスホッピング、および／または循環シフトホッピングを、例えば、シナリオの中でもとりわけ、一方のＤＭ−ＲＳ伝送スケジュールから他方に切り替わると、再開始することができる。
【０１２７】
データおよび／または制御情報を多重化できる。ＨＡＲＱ−ＡＣＫ、ＲＩ、ＰＭＩ／ＣＱＩ、および／またはＵＬ−ＳＣＨデータに対し、１レイヤ当たりいくつかの符号化変調シンボルを使用できる。いくつかのサブフレームにおいて、ＣＱＩ、ＰＭＩ、ＲＩおよび／またはＡＣＫを用いてデータを多重化できる。このようなシナリオにおいて、トランスポートブロックの１または複数、または各々のマッピングは、例えば、理由の中でもとりわけ、削減されたＤＭ−ＲＳ伝送スケジュール（複数）を正しく考慮するために、本明細書に記載のルールのうちの１または複数に従って行うことができる。例えば、シナリオの中でもとりわけ、ＷＴＲＵがＨＡＲＱ−ＡＣＫビット、および／またはランクインジケータビット、および／またはＣＱＩ／ＰＭＩビットを送信する時、ＨＡＲＱ−ＡＣＫ、および／またはランクインジケータ、および／またはＣＱＩ／ＰＭＩに対し、１レイヤ当たりの符号化変調シンボルの数Ｑ’をＮPUSCH-initialsymb、ＭPUSCHSCおよび／またはＭPUSCH-initialSCの関数として判定することができ、ここで、
【０１２８】
【数５】
2018042258.tif 000007
【０１２９】
となる。ＮULsymbは、１サブフレーム当たりのＳＣ−ＦＤＭＡシンボルの数である。ＮSRSは、０または１のいずれかであり、理由の中でもとりわけ、サブフレームへのＳＲＳ伝送があるかどうかに応じて恐らく異なる。ＭPUSCHSCは、現在のサブフレームへのＰＵＳＣＨ伝送用にスケジュールされた帯域幅である。ＭPUSCH-initialSCは、初期の（Ｅ）ＰＤＣＣＨから取得された初期にスケジュールされた帯域幅である。
【０１３０】
いくつかの実施形態において、シナリオの中でもとりわけ、削減されたＤＭ−ＲＳ伝送スケジュールを用いてＷＴＲＵがスケジュールされるのであれば、そして１サブフレーム当たり単一のＤＭ−ＲＳシンボルが存在するのであれば、ＷＴＲＵは、
【０１３１】
【数６】
2018042258.tif 000008
【０１３２】
を使用するように構成され得る。いくつかの実施形態において、シナリオの中でもとりわけ、レガシーのＤＭ−ＲＳ伝送スケジュールの場合、ＮPUSCH-initialsymb・ＭPUSCH-initialSCの積を関数として用いて、Ｑ’および／またはＵＬ−ＳＣＨデータ情報の符号化ビットの総数Ｇを判定することができる。いくつかの実施形態において、シナリオの中でもとりわけ、削減されたＤＭ−ＲＳ伝送スケジュールの場合、Ｑ’およびＧの関数におけるＮPUSCH-initialsymb・ＭPUSCH-initialSCの積を、
【０１３３】
【数７】
2018042258.tif 000009
【０１３４】
に置き換えられる。ここで、ＮUL DM-RSは、スケジュールされた帯域幅のＤＭ−ＲＳ伝送スケジュールに使用され得るＲＥの総数である。
【０１３５】
いくつかの実施形態において、シナリオの中でもとりわけ、削減されたＤＭ−ＲＳ伝送スケジュールの場合、ＰＵＳＣＨ伝送オフセットの値（例えば、新しいおよび／またはこれまで定義されていない値）のセット、例えば、上位レイヤ経由で構成可能である、βHARQ-ACKoffset、βRIoffsetおよび／またはβCQIoffsetが存在し得る。上位レイヤがシグナルしたインデックスとオフセットとの関係は、要因の中でもとりわけ、そのサブフレームへの伝送がＤＭ−ＲＳ伝送スケジュール用であるかどうかによって異なる。
【０１３６】
実施形態は、ＵＬ−ＳＣＨデータ、ＡＣＫ−ＮＡＣＫ、ＲＩ、および／またはＣＱＩ／ＰＭＩのチャネルインターリーバを企図する。チャネルインターリーバは、変調シンボルを送信波形に乗せる時間優先（time-first）マッピングを実装できる。インターリーバは、行列をＮPUSCHsymb列および／またはＣＱＩ／ＰＭＩと連結した少なくとも一部、または全てのデータを送信するために使用され得る行数で満たすことによって行われ得る。いくつかの実施形態において、シナリオの中でもとりわけ、削減されたＤＭ−ＲＳ伝送スケジュールで構成される場合、行列の列数は、
【０１３７】
【数８】
2018042258.tif 000010
【０１３８】
を使用して判定され得る。一部の実施形態において、ＷＴＲＵは、
【０１３９】
【数９】
2018042258.tif 000011
【０１４０】
を使用することができ、そしてＨＡＲＱ−ＡＣＫ、ＲＩ、および／またはＣＱＩ／ＰＭＩ情報のデータが行列に書き込まれる時、シナリオの中でもとりわけ、ＷＴＲＵが空白値で占有され得る１または複数の行列エントリをスキップできることを保証することができる。これらの空白値を使用して、削減されたＤＭ−ＲＳを挿入できる。
【０１４１】
ＨＡＲＱ−ＡＣＫおよび／またはＲＩシンボルを挿入するための列セットが存在し得る。これらの列セットは、ＨＡＲＱ−ＡＣＫおよび／またはＲＩがＤＭ−ＲＳのできるだけ近くになることを保証できる。列セットは、削減されたＤＭ−ＲＳ伝送スケジュールを使用するために変更され得る。いくつかの実施形態において、シナリオの中でもとりわけ、１サブフレーム当たり単一のＤＭ−ＲＳの場合、および単一のタイムスロットに配置されるのであれば、ＨＡＲＱ−ＡＣＫおよび／またはＲＩは、ＤＭ−ＲＳを有するスロットに配置される（例えば、唯一配置される）得る。いくつかの実施形態において、ＨＡＲＱ−ＡＣＫ用のシンボル（複数）をＤＭ−ＲＳシンボルに最も近い１または２つの（またはそれより多い）シンボルにすることができ、そしてＲＩ用のシンボル（複数）をＤＭ−ＲＳに次に最も近い１または２つ（またはそれより多い）のシンボルにすることができる。例えば、サブフレームのシンボルｘ内のＤＭ−ＲＳの場合、ＨＡＲＱ−ＡＣＫをシンボルｘ−１とｘ＋１に送信することができ、そしてＲＩをシンボルｘ−２とｘ＋２に送信することができる。いくつかの実施形態において、ＷＴＲＵは、ＨＡＲＱ−ＡＣＫおよび／またはＲＩ用の１または複数のシンボルを使用するように構成され得る。いくつかの実施形態において、サブフレームのシンボルｘ内のＤＭ−ＲＳの場合、シナリオの中でもとりわけ、ＨＡＲＱ−ＡＣＫをシンボルｘ−２、ｘ−１、ｘ＋１、ｘ＋２に配置することができ、および／またはＲＩをシンボルｘ−４、ｘ−３、ｘ＋３、ｘ＋４に配置することができる。いくつかの実施形態において、ＨＡＲＱ−ＡＣＫをシンボルｘ−３、ｘ−１、ｘ＋１、ｘ＋３に配置することができ、および／またはＲＩをシンボルｘ−４、ｘ−２、ｘ＋２、ｘ＋４に配置することができる。いくつかの実施形態において、ＤＭ−ＲＳをサブフレームの最初と最後の近くに配置することができるのであれば、要因の中でもとりわけ、１または複数、または両方の側で、ＨＡＲＱ−ＡＣＫおよび／またはＲＩ用の複数のシンボルを用いて適応するのに十分なシンボルがない場合もある。いくつかの実施形態において、対称制約を除去できる。例えば、シンボル３のＤＭ−ＲＳの場合、ＨＡＲＱ−ＡＣＫをシンボル２、４、および５に配置することができ、および／またはＲＩをシンボル１、６、および７に配置することができる。別の例として、ＨＡＲＱ−ＡＣＫをシンボル２、４、および６に配置することができ、および／またはＲＩをシンボル１、５、および７に配置することができる。
【０１４２】
実施形態は、ＤＭ−ＲＳ伝送スケジュール用に変更された直交カバーコード（ＯＣＣ）を企図する。直交カバーコードをＤＭ−ＲＳに使用することによって、サポートされるレイヤの数および／またはＭＵ−ＭＩＭＯを遂行する能力を増加することを可能にできる。１または複数実施形態は、シナリオの中でもとりわけ、例えば、削減されたＤＭ−ＲＳを使用できるＯＣＣの振る舞いを変更することが有益となり得ることを企図する。ＤＭ−ＲＳ伝送スケジュールを使用して、例えば、ＭＵ−ＭＩＭＯを可能にするために、１または複数の直交カバーコード（ＯＣＣ）をＤＭ−ＲＳに使用できる。ＤＭ−ＲＳ伝送スケジュールを使用して、例えば、削減されたＤＭ−ＲＳを用いて、アップリンク制御情報（ＵＣＩ）をＰＵＳＣＨに提供できる。
【０１４３】
ＤＭ−ＲＳ伝送スケジュールをサブキャリアの１または複数のペアに対して反復することができる。ＤＭ−ＲＳ伝送スケジュールｘをサブキャリアに対して反復することができる。この反復を複数のＳＣ−ＦＤＭＡシンボルに対して行うことができる。例えば、ＤＭ−ＲＳが単一のＳＣ−ＦＤＭＡシンボルに送信されるソリューションにおいて、第１のｘサブキャリアは、シーケンスの第１のシンボルを送信することができ、第２のｘサブキャリアは、シーケンスの第２のシンボルを送信することなどができる。これを１または複数、または各々の送信レイヤに対して反復することができ、それによって１または複数、または各々のレイヤを同じＲＥに多重化できる。一例において、ＤＭ−ＲＳをサブキャリアの一方のセット用の第１のＳＣ−ＦＤＭＡシンボルに入れることができ、およびサブキャリアの他方の（例えば、切り離し可能な）のセット用の第２のＳＣ−ＦＤＭＡシンボルに入れることができる場合、シーケンスの１または複数、または全てのシンボルが、別のサブキャリア上の、第１のＳＣ−ＦＤＭＡシンボル内で１または複数回、および／または第２のＳＣ−ＦＤＭＡシンボル内で１または複数回発生することができるように、シーケンスを反復することができる。例えば、ＤＭ−ＲＳをＳＣ−ＦＤＭＡシンボル３の偶数のサブキャリアに配置し、そしてＳＣ−ＦＤＭＡシンボル１０の奇数のサブキャリアに配置することができる。第１のレイヤのＤＭ−ＲＳシーケンスを［ａ  ｂ  ｃ  ｄ  ｅ．．．］で表すことができる。このようなシナリオにおいて、シンボル‘ａ’をＳＣ−ＦＤＭＡシンボル３のサブキャリア０および／またはＳＣ−ＦＤＭＡシンボル１０のサブキャリア１に置くことができる。シンボル‘ｂ’をＳＣ−ＦＤＭＡシンボル３のサブキャリア２および／またはＳＣ−ＦＤＭＡシンボル１０のサブキャリア３に置くことなどができる。これを１または複数の他のＤＭ−ＲＳレイヤに対して反復することができ、それによって１または複数、または各々のレイヤを同じＲＥに多重化できる。
【０１４４】
いくつかの実施形態において、理由の中でもとりわけ、１または複数、または各々の送信レイヤの正しい復調を可能にするためであれば、ＯＣＣをＤＭ−ＲＳ伝送スケジュールの循環シフトと共に使用できる。いくつかの実施形態において、シナリオの中でもとりわけ、ＤＭ−ＲＳを（例えば、同じＳＣ−ＦＤＭＡシンボルか否かに関わらす）複数のサブキャリアにおいて反復することができる場合であれば、１レイヤ当たり異なるＯＣＣベクトルを複数のサブキャリア対して適用することができる。例えば、第１のＯＣＣベクトル‘ｙ’をＤＭ−ＲＳシーケンスシンボルの一方のレイヤに適用することができ、そして別のＯＣＣベクトル‘ｚ’を他方のレイヤに適用することができる。
【０１４５】
いくつかの実施形態において、シナリオの中でもとりわけ、ＤＭ−ＲＳを単一のＳＣ−ＦＤＭＡシンボルに送信することができ、および／またはＤＭ−ＲＳシーケンスシンボルをｘサブキャリアに対して反復することができる場合、１または複数、または各々のＯＣＣベクトルもまた、長さをｘとすることができ、および／またはＯＣＣを本明細書に記載の通りに適用することができる。例えば、第１のレイヤに対し、ＤＭ−ＲＳの第１のシーケンスを搬送するｘサブキャリアの１または複数、または各々のセットに‘ｙ’を掛けることができる。第２のレイヤに対し、ＤＭ−ＲＳの第２のシーケンスを搬送するｘサブキャリアの１または複数、または各々のセットに‘ｚ’を掛けることができる。
【０１４６】
特定の組み合わせにおいて特徴および要素を上述しているが、各特徴または要素は、単独で、または他の特徴および要素との任意の組み合わせにおいて使用できることが当業者には認識されよう。さらに、本明細書で説明される方法は、コンピュータまたはプロセッサによって実行するためのコンピュータ可読媒体に組み込まれるコンピュータプログラム、ソフトウェア、またはファームウェアに実装され得る。コンピュータ可読媒体の例は、（有線および／または無線接続を介して送信される）電子信号および／またはコンピュータ可読記憶媒体を含む。コンピュータ可読記憶媒体の例は、限定されるわけではないが、リードオンリーメモリ（ＲＯＭ）、ランダムアクセスメモリ（ＲＡＭ）、レジスタ、キャッシュメモリ、半導体メモリデバイス、内部ハードディスクおよびリムーバブルディスクなどの磁気媒体、光磁気媒体、およびＣＤ−ＲＯＭディスク、およびデジタル多用途ディスク（ＤＶＤ）などの光媒体を含む。ソフトウェアと連動するプロセッサを使用して、ＷＴＲＵ、ＵＥ、端末機、基地局、ＲＮＣ、および／または任意のホストコンピュータで使用するための無線周波数トランシーバを実装することができる。
【図１Ａ】
2018042258.tif 000012
【図１Ｂ】
2018042258.tif 000013
【図１Ｃ】
2018042258.tif 000014
【図１Ｄ】
2018042258.tif 000015
【図１Ｅ】
2018042258.tif 000016
【図２Ａ】
2018042258.tif 000017
【図２Ｂ】
2018042258.tif 000018
【図２Ｃ】
2018042258.tif 000019
【図３Ａ】
2018042258.tif 000020
【図３Ｂ】
2018042258.tif 000021
【図４】
2018042258.tif 000022
【図５】
2018042258.tif 000023
【図６】
2018042258.tif 000024
【図７】
2018042258.tif 000025